(57)【要約】  本願は、通信パラメータの設定方法及び機器を提供する。当該方法は、ネットワーク機器が、Ｎ種（Ｎは１以上の正の整数）の通信パラメータの各種の通信パラメータに対応する設定モードを確定するステップと、前記ネットワーク機器が、前記各種の通信パラメータに対応する設定モードを指示するための設定モード指示情報を端末装置に送信するステップとを含む。本願に係る通信パラメータの設定方法及び機器は、通信パラメータに対応する設定モードを動的に確定して、将来の無線ネットワークの需要にも満たせるように、通信パラメータを柔軟に設定することができる。
2020504948.tif 000002
【特許請求の範囲】
【請求項１】
通信パラメータの設定方法であって、
ネットワーク機器が、Ｎ種（Ｎは１以上の正の整数）の通信パラメータの各種の通信パラメータに対応する設定モードを確定するステップと、
前記ネットワーク機器が、前記各種の通信パラメータに対応する設定モードを指示するための設定モード指示情報を端末機器に送信するステップとを含むことを特徴とする通信パラメータの設定方法。
【請求項２】
前記ネットワーク機器が、Ｎ種の通信パラメータの各種の通信パラメータに対応する設定モードを確定する前記ステップは、
前記ネットワーク機器が、各種の通信パラメータ及びオプショナル設定モードに基づき、前記各種の通信パラメータに対応する設定モードを確定するサブステップを含み、前記オプショナル設定モードは、システム情報によって設定される設定モードと、無線リソース制御（ＲＲＣ）シグナリングによって設定される設定モードと、物理層シグナリングによって設定される設定モードと、媒体アクセス制御（ＭＡＣ）層シグナリングによって設定される設定モードと、ＲＲＣシグナリング及び物理層シグナリングの両方で設定される設定モードとから選ばれる少なくとも１種の設定モードを含むことを特徴とする請求項１に記載の方法。
【請求項３】
前記Ｎ種の通信パラメータは、アップリンク波形方式を含むことを特徴とする請求項２に記載の方法。
【請求項４】
前記ネットワーク機器が、前記各種の通信パラメータ及びオプショナル設定モードに基づき、前記各種の通信パラメータに対応する設定モードを確定する前記ステップは、
前記ネットワーク機器が、前記端末機器の位置するチャネル環境及び／又は前記端末機器の移動速度に基づき、前記オプショナル設定モードにおけるアップリンク波形モードに対応する設定モードを確定するサブステップを含むことを特徴とする請求項３に記載の方法。
【請求項５】
前記ネットワーク機器が、端末機器に設定モード指示情報を送信する前記ステップは、
前記ネットワーク機器が、前記設定モード指示情報が含まれるＲＲＣシグナリングを前記端末機器に送信するサブステップを含むことを特徴とする請求項３または４に記載の方法。
【請求項６】
前記Ｎ種の通信パラメータは、サブキャリア間隔を含み、
前記ネットワーク機器が、前記各種の通信パラメータ及びオプショナル設定モードに基づき、前記各種の通信パラメータに対応する設定モードを確定する前記ステップは、
前記ネットワーク機器が、前記端末機器の位置するセルが用いるサブキャリア間隔の種類の数に基づき、前記オプショナル設定モードにおけるサブキャリア間隔に対応する設定モードを確定するサブステップを含むことを特徴とする請求項２〜５のいずれか１項に記載の方法。
【請求項７】
前記ネットワーク機器が、前記端末機器の位置するセルが用いるサブキャリア間隔の種類の数に基づき、前記オプショナル設定モードにおけるサブキャリア間隔に対応する設定モードを確定する前記ステップは、
前記セルが１種のサブキャリア間隔を用いることを確定する場合に、前記ネットワーク機器が、システム情報によって設定される設定モードを、サブキャリア間隔に対応する設定モードに確定するサブステップ、又は、
前記セルが複数種のサブキャリア間隔を用いることを確定する場合に、前記ネットワーク機器が、前記オプショナル設定モードに含まれる、ＲＲＣシグナリングによって設定される前記設定モードと、物理層シグナリングによって設定される前記設定モードと、前記ＭＡＣ層シグナリングによって設定される設定モードとの設定モードから選ばれる１種の設定モードを、サブキャリア間隔に対応する設定モードに確定するサブステップを含むことを特徴とする請求項６に記載の方法。
【請求項８】
前記ネットワーク機器が、端末機器に設定モード指示情報を送信する前記ステップは、
前記ネットワーク機器が、前記設定モード指示情報が含まれるシステム情報を前記端末機器に送信するサブステップを含むことを特徴とする請求項６又は７に記載の方法。
【請求項９】
前記Ｎ種の通信パラメータは、複信方式を含み、
前記ネットワーク機器が、前記各種の通信パラメータ及びオプショナル設定モードに基づき、前記各種の通信パラメータに対応する設定モードを確定する前記ステップは、
前記ネットワーク機器が、前記端末機器の位置するセルが用いる複信方式の種類の数に基づき、前記オプショナル設定モードにおける複信方式に対応する設定モードを確定するサブステップを含むことを特徴とする請求項２〜８のいずれか１項に記載の方法。
【請求項１０】
前記ネットワーク機器が、前記端末機器の位置するセルが用いる複信方式の種類の数に基づき、前記オプショナル設定モードにおける複信方式に対応する設定モードを確定するステップは、
前記セルが１種の複信方式を用いることを確定する場合に、前記ネットワーク機器が、システム情報によって設定される設定モードを、複信方式に対応する設定モードに確定するサブステップ、又は、
前記セルが複数種の複信方式を用いることを確定する場合に、前記ネットワーク機器が、前記オプショナル設定モードに含まれる、ＲＲＣシグナリングによって設定される前記設定モードと、物理層シグナリングによって設定される前記設定モードと、ＭＡＣ層シグナリングによって設定される前記設定モードと、ＲＲＣシグナリング及び物理層シグナリングの両方で設定される設定モードとの設定モードから選ばれる１種の設定モードを、複信方式に対応する設定モードに確定するサブステップを含むことを特徴とする請求項９に記載の方法。
【請求項１１】
前記セルが用いる複信方式は、周波数分割複信（ＦＤＤ）と、時分割複信（ＴＤＤ）と、全複信とから選ばれる少なくとも１種の複信方式を含むことを特徴とする請求項９又は１０に記載の方法。
【請求項１２】
前記ネットワーク機器が、端末機器に設定モード指示情報を送信する前記ステップは、
前記ネットワーク機器が、前記設定モード指示情報が含まれるＲＲＣシグナリングを前記端末機器に送信するサブステップ、又は、
前記ネットワーク機器が、前記設定モード指示情報が含まれるシステム情報を前記端末機器に送信するサブステップを含むことを特徴とする請求項１０又は１１に記載の方法。
【請求項１３】
通信パラメータの設定方法であって、
端末機器が、ネットワーク機器が送信したＮ種（Ｎは１以上の正の整数）の通信パラメータの各種の通信パラメータに対応する設定モードを指示するための設定モード指示情報を受信するステップと、
前記端末機器が、前記設定モード指示情報に基づき、前記各種の通信パラメータに対応する設定モードを確定するステップと、
前記端末機器が、前記各種の通信パラメータに対応する設定モードに基づき、前記各種の通信パラメータを取得するステップとを含むこと特徴とする通信パラメータの設定方法。
【請求項１４】
前記各種の通信パラメータに対応する設定モードは、前記ネットワーク機器により、前記各種の通信パラメータ及びオプショナル設定モードに基づいて確定されるものであり、前記オプショナル設定モードは、システム情報によって設定される設定モード、無線リソース制御（ＲＲＣ）シグナリングによって設定される設定モードと、物理層シグナリングによって設定される設定モードと、媒体アクセス制御（ＭＡＣ）層シグナリングによって設定される設定モードと、ＲＲＣシグナリング及び物理層シグナリングの両方で設定される設定モードとから選ばれる少なくとも１種の設定モードを含むことを特徴とする請求項１３に記載の方法。
【請求項１５】
前記Ｎ種の通信パラメータは、アップリンク波形方式を含むことを特徴とする請求項１４に記載の方法。
【請求項１６】
前記オプショナル設定モードにおけるアップリンク波形方式に対応する設定モードは、前記ネットワーク機器により、前記端末機器の位置するチャネル環境及び／又は端末機器の移動速度に基づいて確定されるものであることを特徴とする請求項１５に記載の方法。
【請求項１７】
前記端末機器が、ネットワーク機器が送信した設定モード指示情報を受信する前記ステップは、
前記端末機器が、前記ネットワーク機器が送信した前記設定モード指示情報が含まれるＲＲＣシグナリングを受信するサブステップを含むことを特徴とする請求項１５又は１６に記載の方法。
【請求項１８】
前記Ｎ種の通信パラメータは、サブキャリア間隔を含み、前記オプショナル設定モードにおけるサブキャリア間隔に対応する設定モードは、前記ネットワーク機器により、前記端末機器の位置するセルが用いるサブキャリア間隔の種類の数に基づいて確定されるものであることを特徴とする請求項１４〜１７のいずれか１項に記載の方法。
【請求項１９】
前記セルが１種のサブキャリア間隔を用いる場合に、サブキャリア間隔に対応する設定モードは、システム情報によって設定される設定モードであり、又は、
前記セルが複数種のサブキャリア間隔を用いる場合に、サブキャリア間隔に対応する設定モードは、前記オプショナル設定モードに含まれる、ＲＲＣシグナリングによって設定される前記設定モードと、物理層シグナリングによって設定される前記設定モードと、ＭＡＣ層シグナリングによって設定される前記設定モードとの設定モードから選ばれる１種の設定モードであることを特徴とする請求項１８に記載の方法。
【請求項２０】
前記端末機器が、ネットワーク機器が送信した設定モード指示情報を受信する前記ステップは、
前記端末機器が、ネットワーク機器が送信した前記設定モード指示情報が含まれるシステム情報を受信するサブステップを含むことを特徴とする請求項１８又は１９に記載の方法。
【請求項２１】
前記Ｎ種の通信パラメータは、複信方式を含み、前記オプショナル設定モードにおける複信方式に対応する設定モードは、前記ネットワーク機器により、前記端末機器の位置するセルが用いる複信方式の種類の数に基づいて確定されるものであることを特徴とする請求項１４〜２０のいずれか１項に記載の方法。
【請求項２２】
前記セルが１種の複信方式を用いる場合に、複信方式に対応する設定モードは、システム情報によって設定される設定モードであり、又は
前記セルが複数種の複信方式を用いる場合に、複信方式に対応するモードは、前記オプショナル設定モードに含まれる、ＲＲＣシグナリングによって設定される前記設定モードと、物理層シグナリングによって設定される前記設定モードと、ＭＡＣ層シグナリングによって設定される前記設定モードと、ＲＲＣシグナリング及び物理層シグナリングの両方で設定される設定モードとの設定モードから選ばれる１種の設定モードであることを特徴とする請求項２１に記載の方法。
【請求項２３】
前記セルが用いる複信方式は、周波数分割複信（ＦＤＤ）と、時分割複信（ＴＤＤ）と、全複信とから選ばれる少なくとも１種の複信方式を含むことを特徴とする請求項２１又は２２に記載の方法。
【請求項２４】
前記端末機器が、ネットワーク機器が送信した設定モード指示情報を受信する前記ステップは、
前記端末機器が、前記ネットワーク機器が送信した前記設定モード指示情報が含まれるＲＲＣシグナリングを受信するサブステップ、又は、
前記端末機器が、前記ネットワーク機器が送信した前記設定モード指示情報が含まれるシステム情報を受信するサブステップを含むことを特徴とする請求項２２又は２３に記載の方法。
【請求項２５】
ネットワーク機器であって、
Ｎ種（Ｎは１以上の正の整数）の通信パラメータの各種の通信パラメータに対応する設定モードを確定するための処理モジュールと、
前記各種の通信パラメータに対応する設定モードを指示するための設定モード指示情報を端末機器に送信するための送受信モジュールとを含むことを特徴とするネットワーク機器。
【請求項２６】
前記処理モジュールは具体的に、
前記各種の通信パラメータ及びオプショナル設定モードに基づき、前記各種の通信パラメータに対応する設定モードを確定するのに用いられ、前記オプショナル設定モードは、システム情報によって設定される設定モードと、無線リソース制御（ＲＲＣ）シグナリングによって設定される設定モードと、物理層シグナリングによって設定される設定モードと、媒体アクセス制御（ＭＡＣ）層シグナリングによって設定される設定モードと、ＲＲＣシグナリング及び物理層シグナリングの両方で設定される設定モードとから選ばれる少なくとも１種の設定モードを含むことを特徴とする請求項２５に記載のネットワーク機器。
【請求項２７】
前記Ｎ種の通信パラメータは、アップリンク波形方式を含むことを特徴とする請求項２６に記載のネットワーク機器。
【請求項２８】
前記処理モジュールは具体的に、
前記端末装置の位置するチャネル環境及び／又は端末装置の移動速度に基づき、前記オプショナル設定モードにおけるアップリンク波形モードに対応する設定モードを確定するために用いられることを特徴とする請求項２７に記載のネットワーク機器。
【請求項２９】
前記送受信モジュールは具体的に、
前記設定モード指示情報が含まれるＲＲＣシグナリングを前記端末装置に送信するために用いられることを特徴とする請求項２７又は２８に記載のネットワーク機器。
【請求項３０】
前記Ｎ種の通信パラメータは、サブキャリア間隔を含み、
前記処理モジュールは具体的に、前記端末機器の位置するセルが用いるサブキャリア間隔の種類の数に基づき、前記オプショナル設定モードにおけるサブキャリア間隔に対応する設定モードを確定するために用いられるを特徴とする請求項２６〜２９のいずれか１項に記載のネットワーク機器。
【請求項３１】
前記処理モジュールは具体的に、
前記セルが１種のサブキャリア間隔を用いることを確定する場合に、前記システム情報によって設定される設定モードを、サブキャリア間隔に対応する設定モードに確定するために用いられ、又は、
前記セルが複数種のサブキャリア間隔を用いることを確定する場合に、前記オプショナル設定モードに含まれる、ＲＲＣシグナリングによって設定される前記設定モードと、物理層シグナリングによって設定される前記設定モードと、ＭＡＣ層シグナリングによって設定される前記設定モードとの設定モードから選ばれる１種の設定モードを、サブキャリア間隔に対応する設定モードに確定するために用いられることを特徴とする請求項３０に記載のネットワーク機器。
【請求項３２】
前記送受信モジュールは具体的に、
前記設定モード指示情報が含まれるシステム情報を前記端末機器に送信するために用いられることを特徴とする請求項３０又は３１に記載のネットワーク機器。
【請求項３３】
前記Ｎ種の通信パラメータは、複信方式を含み、
前記処理モジュールは具体的に、
前記端末機器の位置するセルが用いる複信方式の種類の数に基づき、前記オプショナル設定モードにおける複信方式に対応する設定モードを確定するために用いられることを特徴とする請求項２６〜３２のいずれか１項に記載のネットワーク機器。
【請求項３４】
前記処理モジュールは具体的に、
前記セルが１種の複信方式を用いることを確定する場合に、システム情報によって設定される設定モードを、複信方式に対応する設定モードに確定するために用いられ、又は、
前記セルが複数種の複信方式を用いることを確定する場合に、前記オプショナル設定モードに含まれる、ＲＲＣシグナリングによって設定される前記設定モードと、物理層シグナリングによって設定される前記設定モードと、ＭＡＣ層シグナリングによって設定される前記設定モードと、前記ＲＲＣシグナリング及び物理層シグナリングの両方で設定される設定モードとの設定モードから選ばれる１種の設定モードを、複信方式に対応する設定モードに確定するために用いられることを特徴とする請求項３３に記載のネットワーク機器。
【請求項３５】
前記セルが用いる複信方式は、周波数分割複信（ＦＤＤ）と、時分割複信（ＴＤＤ）と、全複信とから選ばれる少なくとも１種の複信方式を含むことを特徴とする請求項３３又は３４に記載のネットワーク機器。
【請求項３６】
前記送受信モジュールは具体的に、
前記設定モード指示情報が含まれるＲＲＣシグナリングを前記端末機器に送信するために用いられ、又は、
前記設定モード指示情報が含まれるシステム情報を前記端末機器に送信することを特徴とする請求項３４又は３５に記載のネットワーク機器。
【請求項３７】
端末機器であって、
ネットワーク機器が送信したＮ種（Ｎは１以上の正の整数）の通信パラメータの各種の通信パラメータに対応する設定モードを指示するための設定モード指示情報を受信するための送受信モジュールと、
前記設定モード指示情報に基づき、前記各種の通信パラメータに対応する設定モードを確定するための処理モジュールとを含み、
前記処理モジュールはさらに、前記各種の通信パラメータに対応する設定モードに基づき、前記各種の通信パラメータを取得するために用いられることを特徴とする端末機器。
【請求項３８】
前記各種の通信パラメータに対応する設定モードは、前記ネットワーク機器により、前記各種の通信パラメータ及びオプショナル設定モードに基づいて確定されるものであり、前記オプショナル設定モードは、システム情報によって設定される設定モードと、無線リソース制御（ＲＲＣ）シグナリングによって設定される設定モードと、物理層シグナリングによって設定される設定モードと、媒体アクセス制御（ＭＡＣ）層シグナリングによって設定される設定モードと、ＲＲＣシグナリング及び物理層シグナリングの両方で設定される設定モードとから選ばれる少なくとも１種の設定モードを含むことを特徴とする請求項３７に記載の端末機器。
【請求項３９】
前記Ｎ種の通信パラメータは、アップリンク波形方式を含むことを特徴とする請求項３８に記載の端末機器。
【請求項４０】
前記オプショナル設定モードにおけるアップリンク波形方式に対応する設定モードは、前記ネットワーク機器により、前記端末機器の位置するチャネル環境及び／又は端末機器の移動速度に基づいて確定されるものであることを特徴とする請求項３９に記載の端末機器。
【請求項４１】
前記送受信モジュールは具体的に、
前記ネットワーク機器が送信した前記設定モード指示情報が含まれるＲＲＣシグナリングを受信するために用いられることを特徴とする請求項３９又は４０に記載の端末機器。
【請求項４２】
前記Ｎ種の通信パラメータは、サブキャリア間隔を含み、前記オプショナル設定モードにおけるサブキャリア間隔モードに対応する設定モードは、前記ネットワーク機器により、前記端末機器の位置するセルが用いるサブキャリア間隔の種類の数に基づいて確定されるものであることを特徴とする請求項３８〜４１のいずれか１項に記載の端末機器。
【請求項４３】
前記セルが１種のサブキャリア間隔を用いる場合に、サブキャリア間隔に対応する設定モードは、システム情報によって設定される設定モードであり、又は、
前記セルが複数種のサブキャリア間隔を用いる場合に、サブキャリア間隔に対応する設定モードは、前記オプショナル設定に含まれる、ＲＲＣシグナリングによって設定される前記設定モードと、物理層シグナリングによって設定される前記設定モードと、ＭＡＣ層シグナリングによって設定される前記設定モードとの設定モードから選ばれる１種の設定モードであることを特徴とする請求項４２に記載の端末機器。
【請求項４４】
前記送受信モジュールは具体的に、
前記ネットワーク機器が送信した前記設定モード指示情報が含まれるシステム情報を受信することを特徴とする請求項４２又は請求項４３に記載の端末機器。
【請求項４５】
前記Ｎ種の通信パラメータは、複信方式を含み、前記オプショナル設定モードにおける複信方式に対応する設定モードは、前記ネットワーク機器により、前記端末機器の位置するセルが用いる複信方式の種類の数に基づいて確定されるものであることを特徴とする請求項３８〜４４のいずれか１項に記載の端末機器。
【請求項４６】
前記セルが１種の複信方式を用いる場合に、複信方式に対応する設定モードは、システム情報によって設定される設定モードであり、又は、
前記セルが複数種の複信方式を用いる場合に、複信方式に対応する設定モードは、前記オプショナル設定モードに含まれる、ＲＲＣシグナリングによって設定される前記設定モードと、物理層シグナリングによって設定される前記設定モードと、ＭＡＣ層シグナリングによって設定される前記設定モードと、ＲＲＣシグナリング及び物理層シグナリングの両方で設定される設定モードとの設定モードから選ばれる１種の設定モードであることを特徴とする請求項４５に記載の端末機器。
【請求項４７】
前記セルが用いる複信方式は、周波数分割複信（ＦＤＤ）と、時分割複信（ＴＤＤ）と、全複信とから選ばれる少なくとも１種の複信方式を含むことを特徴とする請求項４５又は４６に記載の端末機器。
【請求項４８】
前記送受信モジュールは具体的に、
前記ネットワーク機器が送信した前記設定モード指示情報が含まれるＲＲＣシグナリングを受信するために用いられ、又は、
前記ネットワーク機器が送信した前記設定モード指示情報が含まれるシステム情報を受信するために用いられることを特徴とする請求項４６又は４７に記載の端末機器。
【発明の詳細な説明】
【技術分野】
【０００１】
本発明は、通信分野に関し、より詳しくは、通信パラメータの設定方法及び機器に関する。
【背景技術】
【０００２】
従来の無線ネットワークにおけるパラメータの設定方法は主に、静的設定方法、準静的設定方法及び動的設定方法という三つがある。１つの具体的なパラメータは、これら３つの方法のうちのいずれかで設定されなければならない。
【０００３】
将来の無線ネットワークには、非常に多くのシーンとパラメータを用いている。１つのパラメータを１種の設定方法だけで設定するのでは、通信システムの需要を満たせない。
【０００４】
そのため、将来の無線ネットワークの需要にも満たせるように、通信パラメータを柔軟に設定することのできる通信パラメータの設定方法を提供する必要がある。
【発明の概要】
【発明が解決しようとする課題】
【０００５】
本発明は、将来の無線ネットワークの需要にも満たせるように、通信パラメータを柔軟に設定することのできる通信パラメータの設定方法及び機器を提供するためになされるものである。
【課題を解決するための手段】
【０００６】
本発明の第１の態様として、通信パラメータの設定方法を提供する。当該方法は、ネットワーク機器がＮ種（Ｎは１以上の正の整数）の通信パラメータの各種の通信パラメータに対応する設定モードを確定するステップと、前記ネットワーク機器が、前記各種の通信パラメータに対応する設定モードを指示するための設定モード指示情報を端末機器に送信するステップとを含む。
【０００７】
本発明に係る通信パラメータの設定方法によれば、ネットワーク機器は、通信パラメータに対応する設定モードを確定した上で、端末機器に通信パラメータの設定モードを指示する。これにより、ネットワーク機器は、通信パラメータに対応する設定モードを動的に確定して、将来の無線ネットワークの需要にも満たせるように、通信パラメータを柔軟に設定することができる。
【０００８】
本発明の第１の態様に基づく第１の態様の１つの実施形態において、前記ネットワーク機器がＮ種の通信パラメータの各種の通信パラメータに対応する設定モードを確定する前記ステップは、前記ネットワーク機器が、前記各種の通信パラメータ及びオプショナル設定モードに基づき、前記各種の通信パラメータに対応する設定モードを確定することを含み、前記オプショナル設定モードは、システム情報によって設定される設定モードと、無線リソース制御（ＲＲＣ）シグナリングによって設定される設定モードと、物理層シグナリングによって設定される設定モードと、媒体アクセス制御（ＭＡＣ）層シグナリングによって設定される設定モードと、ＲＲＣシグナリング及び物理層シグナリングの両方で設定される設定モードとから選ばれる少なくとも１種の設定モードを含む。
【０００９】
本発明の第１の態様及び上記実施形態に基づく本発明の第１の態様の別の実施形態において、前記Ｎ種の通信パラメータは、アップリンク波形方式を含む。
【００１０】
本発明の第１の態様及び上記実施形態に基づく本発明の第１の態様の別の実施形態において、前記ネットワーク機器が前記各種の通信パラメータ及びオプショナル設定モードに基づき、前記各種の通信パラメータに対応する設定モードを確定することは、前記ネットワーク機器が、前記端末機器の位置するチャネル環境及び／又は前記端末機器の移動速度に基づき、前記オプショナル設定モードにおけるアップリンク波形方式に対応する設定モードを確定することを含む。
【００１１】
本発明の第１の態様及び上記実施形態に基づく本発明の第１の態様の別の実施形態において、前記ネットワーク機器が前記端末機器に設定モード指示情報を送信する前記ステップは、前記ネットワーク機器が、前記設定モード指示情報が含まれるＲＲＣシグナリングを前記端末機器に送信することを含む。
【００１２】
本発明の第１の態様及び上記実施形態に基づく本発明の第１の態様の別の実施形態において、前記Ｎ種の通信パラメータは、サブキャリア間隔を含み、
前記ネットワーク機器が、前記各種の通信パラメータ及びオプショナル設定モードに基づき、前記各種の通信パラメータに対応する設定モードを確定することは、前記ネットワーク機器が、前記端末機器の位置するセルが用いるサブキャリア間隔の種類の数に基づき、前記オプショナル設定モードにおけるサブキャリア間隔に対応する設定モードを確定することを含む。
【００１３】
本発明の第１の態様及び上記実施形態に基づく本発明の第１の態様の別の実施形態において、前記ネットワーク機器が、前記端末機器の位置するセルが用いるサブキャリア間隔の種類の数に基づき、オプショナル設定モードにおけるサブキャリア間隔に対応する設定モードを確定する前記ステップは、前記セルが１種のサブキャリア間隔を用いることを確定する場合に、前記ネットワーク機器が、システム情報によって設定される前記設定モードを、サブキャリア間隔に対応する設定モードに確定することを含む、又は、前記セルが複数種のサブキャリア間隔を用いることを確定する場合に、前記ネットワーク機器が、前記オプショナル設定モードに含まれる、ＲＲＣ情報によって設定される前記設定モードと、物理層シグナリングによって設定される前記設定モードと、ＭＡＣ層シグナリングによって設定される前記設定モードとの設定モードから選ばれる１種の設定モードを、サブキャリア間隔に対応する設定モードに確定することを含む。
【００１４】
本発明の第１の態様及び上記実施形態に基づく本発明の第１の態様の別の実施形態において、前記ネットワーク機器が、端末機器に設定モード指示情報を送信する前記ステップは、前記ネットワーク機器が、前記設定モード指示情報が含まれるシステム情報を前記端末機器に送信することを含む。
【００１５】
本発明の第１の態様及び上記実施形態に基づく本発明の第１の態様の別の実施形態において、前記Ｎ種の通信パラメータは、複信方式を含み、
前記ネットワーク機器が、前記各種の通信パラメータ及びオプショナル設定モードに基づき、前記各種の通信パラメータに対応する設定モードを確定する前記ステップは、前記ネットワーク機器が、前記端末機器の位置するセルが用いる複信方式の種類の数に基づき、前記オプショナル設定モードにおける複信方式に対応する設定モードを確定することを含む。
【００１６】
本発明の第１の態様及び上記実施形態に基づく本発明の第１の態様の別の実施形態において、前記ネットワーク機器が、前記端末機器の位置するセルが用いる複信方式の種類の数に基づき、前記オプショナル設定モードにおける複信方式に対応する設定モードを確定する前記ステップは、前記セルが１種の複信方式を用いることを確定する場合に、前記ネットワーク機器が、システム情報によって設定される設定モードを、複信方式に対応する設定モードに確定することを含む、又は、前記セルが複数種の複信方式を用いることを確定する場合に、前記ネットワーク機器が、前記オプショナル設定モードに含まれる、ＲＲＣシグナリングによって設定される前記設定モードと、物理層シグナリングによって設定される前記設定モードと、ＭＡＣ層シグナリングによって設定される前記設定モードと、ＲＲＣシグナリング及び物理層シグナリングの両方で設定される前記設定モードとの設定モードから選ばれる１種の設定モードを、複信方式に対応する設定モードに確定することを含む。
【００１７】
本発明の第１の態様及び上記実施形態に基づく本発明の第１の態様の別の実施形態において、前記セルが用いる複信方式は、周波数分割複信（ＦＤＤ）と、時分割複信（ＴＤＤ）と、全複信とから選ばれる少なくとも１種の複信方式を含む。
【００１８】
本発明の第１の態様及び上記実施形態に基づく本発明の第１の態様の別の実施形態において、前記ネットワーク機器が、端末機器に設定モード指示情報を送信する前記ステップは、前記ネットワーク機器が、前記設定モード指示情報が含まれるＲＲＣシグナリングを前記端末機器に送信することを含む、又は、前記ネットワーク機器が、前記設定モード指示情報が含まれるシステム情報を前記端末機器に送信することを含む。
【００１９】
本発明の第２の態様として、通信パラメータの設定方法を提供する。当該方法は、端末機器が、ネットワーク機器が送信したＮ種（Ｎは１以上の正の整数）の通信パラメータの各種の通信パラメータに対応する設定モードを指示するための設定モード指示情報を受信するステップと、前記端末機器が、前記設定モード指示情報に基づき、前記各種の通信パラメータに対応する設定モードを確定するステップと、前記端末機器が、前記各種の通信パラメータに対応する設定モードに基づき、前記各種の通信パラメータを取得するステップとを含む。
【００２０】
本発明に係る通信パラメータの設定方法によれば、端末機器は、ネットワーク機器が送信した通信パラメータの設定モードを指示するための指示情報を受信し、受信した指示情報に基づき通信パラメータを取得する。これにより、ネットワーク機器は、通信パラメータに対応する設定モードを動的に確定して、将来の無線ネットワークの需要にも満たせるように、通信パラメータを柔軟に設定することができる。
【００２１】
第２の態様に基づく第２の態様の１つの実施形態において、前記各種の通信パラメータに対応する設定モードは、前記ネットワーク機器により、前記各種の通信パラメータ及びオプショナル設定モードに基づいて確定されるものであり、前記オプショナル設定モードは、システム情報によって設定される設定モードと、無線リソース制御（ＲＲＣ）シグナリングによって設定される設定モードと、物理層シグナリングによって設定される設定モードと、媒体アクセス制御（ＭＡＣ）層情報によって設定される設定モードと、ＲＲＣシグナリング及び物理層シグナリングの両方で設定される設定モードとから選ばれる少なくとも１種の設定モードを含む。
【００２２】
第２の態様及び上記実施形態に基づく第２の態様の別の実施形態は、前記Ｎ種の通信パラメータが、アップリンク波形方式を含むことを特徴とするものである。
【００２３】
第２の態様及び上記実施形態に基づく第２の態様の別の実施形態において、前記オプショナル設定モードにおけるアップリンク波形方式に対応する設定モードは、前記ネットワーク機器により、前記端末機器の位置するチャネル環境及び／又は前記端末機器の移動速度に基づいて確定されるものである。
【００２４】
第２の態様及び上記実施形態に基づく第２の態様の別の実施形態において、前記端末機器が、ネットワーク機器が送信した設定モード指示情報を受信するステップは、前記端末機器が、前記ネットワーク機器が送信した、前記設定モード指示情報が含まれるＲＲＣシグナリングを受信することを含む。
【００２５】
第２の態様及び上記実施形態に基づく第２の態様の別の実施形態において、前記Ｎ種の通信パラメータは、サブキャリア間隔を含み、前記オプショナル設定モードにおけるサブキャリア間隔に対応する設定モードは、前記ネットワーク機器により、前記端末機器の位置するセルが用いるサブキャリア間隔の種類の数に基づいて確定されるものである。
【００２６】
第２の態様及び上記実施形態に基づく第２の態様の別の実施形態において、前記セルが１種のサブキャリア間隔を用いる場合に、サブキャリア間隔に対応する設定モードは、システム情報によって設定される設定モードである、又は、前記セルが複数種のサブキャリア間隔を用いる場合に、サブキャリア間隔に対応する設定モードは、前記オプショナル設定に含まれる、ＲＲＣシグナリングによって設定される前記設定モードと、物理層シグナリングによって設定される前記設定モードと、ＭＡＣ層シグナリングによって設定される前記設定モードとの設定モードから選ばれる１種の設定モードを含む。
【００２７】
第２の態様及び上記実施形態に基づく第２の態様の別の実施形態において、前記端末機器が、ネットワーク機器が送信した設定モード指示情報を受信する前記ステップは、前記端末機器が、前記ネットワーク機器が送信した前記設定モード指示情報が含まれるシステム情報を受信することを含む。
【００２８】
第２の態様及び上記実施形態に基づく第２の態様の別の実施形態において、前記Ｎ種の通信パラメータは、複信方式を含み、前記オプショナル設定モードにおける複信方式に対応する設定モードは、前記ネットワーク機器により、前記端末機器の位置するセルが用いる複信方式の種類の数に基づいて確定されるものである。
【００２９】
第２の態様及び上記実施形態に基づく第２の態様の別の実施形態において、前記セルが１種の複信方式を用いる場合に、複信方式に対応する設定モードは、システム情報に設定される設定モードである、又は、前記セルが複数種の複信方式を用いる場合に、複信方式に対応する設定モードは、前記オプショナル設定モードに含まれる、ＲＲＣシグナリングによって設定される前記設定モードと、物理層シグナリングによって設定される前記設定モードと、ＭＡＣ層シグナリングによって設定される前記設定モードと、ＲＲＣシグナリング及び物理層シグナリングの両方で設定される設定モードとの設定モードから選ばれる１種の設定モードである。
【００３０】
第２の態様及び上記実施形態に基づく第２の態様の別の実施形態において、前記セルが用いる複信方式は、周波数分割複信（ＦＤＤ）と、時分割複信（ＴＤＤ）と、全複信とから選ばれる少なくとも１種の複信方式を含む。
【００３１】
第２の態様及び上記実施形態に基づく第２の態様の別の実施形態において、前記端末機器が、ネットワーク機器が送信した設定モード指示情報を受信する前記ステップは、前記端末機器が、前記ネットワーク機器が送信した前記モード設定モード指示情報が含まれるＲＲＣシグナリングを受信することを含む、又は、前記端末機器が、前記ネットワーク機器が送信した、前記設定モード指示情報が含まれるシステム情報を受信することを含む。
【００３２】
第３の態様として、本発明の第１の態様又は第１の態様に係る任意可能な実施形態による方法を実行するためのネットワーク機器を提供する。詳しくは、当該ネットワーク機器が、前記第１の態様又は第１の態様に係る任意可能な実施形態による方法を実行するための機能モジュールを含む。
【００３３】
第４の態様として、前記の第２の態様又は第２の態様に係る任意可能な実施形態による方法を実行するための端末機器を提供する。詳しくは、当該端末機器が、前記第２の態様又は第２の態様に係る任意可能な実施形態による方法を実行するための機能モジュールを含む。
【００３４】
第５の態様として、プロセッサと、メモリと、トランシーバーとを含むネットワーク機器を提供する。前記プロセッサと、前記メモリと、前記トランシーバーとは内部の接続バスを通じて互いに通信し、制御信号及び／又はデータ信号を伝送することにより、前記ネットワーク機器は、前記第１の態様又は第１の態様に係る任意可能な実施形態における方法を実行する。
【００３５】
第６の態様として、プロセッサと、メモリと、トランシーバーとを含む端末機器を提供する。前記プロセッサと、前記メモリと、前記トランシーバーとは内部の接続バスを通じて互いに通信し、制御信号及び／又はデータ信号を伝送することにより、前記端末機器は、前記第２の態様又は第２の態様に係る任意可能な実施形態における方法を実行する。
【００３６】
第７の態様として、コンピュータプログラムを記憶するためのコンピュータ読み取り可能媒体を提供する。当該コンピュータプログラムは、前記第１の態様又は第１の態様に係る任意可能な実施形態を実行するためのコマンドを含む。
【００３７】
第８の態様として、コンピュータプログラムを記憶するためのコンピュータ読み取り可能媒体を提供する。当該コンピュータプログラムは、本発明の第２の態様又は第２の態様に係る任意可能な実施形態を実行するためのコマンドを含む。
【図面の簡単な説明】
【００３８】
【図１】本願の実施例に係る通信パラメータの設定方法のプロセスを概略的に示すフローチャートである。
【図２】本願の別の実施例に係る通信パラメータの設定方法のプロセスを概略的に示すフローチャートである。
【図３】本願の実施例に係るネットワーク機器を概略的に示すブロック図である。
【図４】本願の実施例に係る端末機器を概略的に示すブロック図である。
【図５】本願の別の実施例に係るネットワーク機器を概略的に示すブロック図である。
【図６】本願の別の実施例に係る端末機器を概略的に示すブロック図である。
【発明を実施するための形態】
【００３９】
本願に係る各実施例における図面を参照しながら、明確かつ完全に説明する。
【００４０】
本願に係る実施例の解決手段は、グローバル移動体通信（Ｇｌｏｂａｌ  Ｓｙｓｔｅｍ  ｏｆ  Ｍｏｂｉｌｅ  ｃｏｍｍｕｎｉｃａｔｉｏｎ、略称ＧＳＭ）システム、符号分割多元接続（Ｃｏｄｅ  Ｄｉｖｉｓｉｏｎ  Ｍｕｌｔｉｐｌｅ  Ａｃｃｅｓｓ、略称ＣＤＭＡ）システム、広帯域符号分割多元接続（Ｗｉｄｅｂａｎｄ  Ｃｏｄｅ  Ｄｉｖｉｓｉｏｎ  Ｍｕｌｔｉｐｌｅ  Ａｃｃｅｓｓ、略称ＷＣＤＭＡ）システム、汎用パケット無線サービス（Ｇｅｎｅｒａｌ  Ｐａｃｋｅｔ  Ｒａｄｉｏ  Ｓｅｒｖｉｃｅ、略称ＧＰＲＳ）、ロングタームエボリューション（Ｌｏｎｇ  Ｔｅｒｍ  Ｅｖｏｌｕｔｉｏｎ、略称ＬＴＥ）システム、ＬＴＥ周波数分割複信（Ｆｒｅｑｕｅｎｃｙ  Ｄｉｖｉｓｉｏｎ  Ｄｕｐｌｅｘ、略称ＦＤＤ）システム、ＬＴＥ時分割複信（Ｔｉｍｅ  Ｄｉｖｉｓｉｏｎ  Ｄｕｐｌｅｘ、略称ＴＤＤ）システム、ユニバーサル移動体通信システム（Ｕｎｉｖｅｒｓａｌ  Ｍｏｂｉｌｅ  Ｔｅｌｅｃｏｍｍｕｎｉｃａｔｉｏｎ  Ｓｙｓｔｅｍ、略称ＵＭＴＳ）、ワイマックス（Ｗｏｒｌｄｗｉｄｅ  Ｉｎｔｅｒｏｐｅｒａｂｉｌｉｔｙ  ｆｏｒ  Ｍｉｃｒｏｗａｖｅ  Ａｃｃｅｓｓ、略称ＷｉＭＡＸ）システムなど既存の通信システム、次世代の５Ｇ  Ｎｅｗ  Ｒａｄｉｏ（ＮＲ）通信システムなど、様々な通信システムに用いられることができる。
【００４１】
本願の実施例において、端末機器は、移動局（Ｍｏｂｉｌｅ  Ｓｔａｔｉｏｎ、略称ＭＳ）、携帯端末（Ｍｏｂｉｌｅ  Ｔｅｒｍｉｎａｌ）、携帯電話（Ｍｏｂｉｌｅ  Ｔｅｌｅｐｈｏｎｅ）、ユーザ機器（Ｕｓｅｒ  Ｅｑｕｉｐｍｅｎｔ、略称ＵＥ）、移動電話（ｈａｎｄｓｅｔ）及びポータブルデバイス（ｐｏｒｔａｂｌｅ  ｅｑｕｉｐｍｅｎｔ）、自動車（ｖｅｈｉｃｌｅ）などを含み、これらに限定されない。当該端末機器は、無線アクセスネットワーク（Ｒａｄｉｏ  Ａｃｃｅｓｓ  Ｎｅｔｗｏｒｋ、略称ＲＡＮ）によって１つ以上のコアネットワークと通信することができる。例えば、端末機器は、携帯電話（セルラー方式の移動電話）、無線通信機能を備えるコンピュータなどであってもよい。端末機器は、携帯式、ポケット式、ハンドヘルド式、コンピュータに内蔵される装置又は車載の移動装置であってもよい。
【００４２】
本願の実施例に係るネットワーク機器は、無線アクセスネットワークに配置され、端末機器に無線通信機能提供するための機器である。当該ネットワーク機器は、様々な形態のマクロ基地局、マイクロ基地局、中継局、アクセスポイントなどを含む基地局であってもよい。異なる無線アクセス技術を採用するシステムにおいて、基地局機能を備える機器の名称は異なる可能性がある。例えば、ＬＴＥネットワークにおいて、進化型ノードＢ（Ｅｖｏｌｖｅｄ  ＮｏｄｅＢ、略称ｅＮＢ又はｅＮｏｄｅＢ）と称され、第３世代（３ｒｄ  Ｇｅｎｅｒａｔｉｏｎ、略称３Ｇ）通信ネットワークにおいて、ノードＢ（ＮｏｄｅＢ）と称される。
【００４３】
図１は、本願の一実施例に係る通信パラメータの設定方法を示す。図１に示すように、方法１００は、ネットワーク機器が、Ｎ種（Ｎは１以上の正の整数）の通信パラメータの各種の通信パラメータに対応する設定モードを確定するステップＳ１１０と、
ネットワーク機器が、前記各種の通信パラメータに対応する設定モードを指示するための設定モード指示情報を端末機器に送信するステップＳ１２０とを含む。
【００４４】
本願の実施例に係る通信パラメータの設定方法によれば、ネットワーク機器は、通信パラメータに対応する設定モードを確定した上で、通信パラメータの設定モードを端末機器に指示する。これにより、ネットワーク機器は、通信パラメータに対応する設定モードを動的に確定して、将来の無線ネットワークの需要にも満たせるように、通信パラメータを柔軟に設定することができる。
【００４５】
また、一例として、ネットワーク機器は、１種の通信パラメータに対応する設定モードを確定するたびに、端末機器に設定モード指示情報を送信して、当該種の通信パラメータに対応する設定モードを端末機器に通知する。又は、ネットワーク機器は、複数種の通信パラメータの各種の通信パラメータに対応する設定モードを確定した上で、１件の設定モード指示情報によって、当該複数種の通信パラメータの各種の通信パラメータに対応する設定モードを端末機器に通知してもよい。
【００４６】
例えば、ステップＳ１２０における設定モード指示情報の具体的な形態は、表であってもよい。当該表は、各種の通信パラメータ及び対応する設定モードを規定し、表１には表の１つの可能なフォーマットを示している。
【００４７】
【表１】
2020504948.tif 000003
【００４８】
且つ、または、設定モード指示情報（表１）は、ネットワーク機器がブロードキャストの方式で端末機器に対して設定するものであってもよく、ネットワーク機器が専用シグナリングにより端末機器に対して設定するものであってもよい。当該専用情報は、例えば、無線リソース制御（Ｒａｄｉｏ  Ｒｅｓｏｕｒｃｅ  Ｃｏｎｔｒｏｌ、略称ＲＲＣ）シグナリングであってもよい。且つ、ある１種の通信パラメータに対応する設定モードが「Ｖｏｉｄ」である場合に、システムは今回当該通信パラメータの設定モードを指定せず、後にシグナリングによって規定することになる。これにより、システムは柔軟に実施することができる。
【００４９】
さらに、ネットワーク機器が端末機器に対して上記表を設定した上で、ネットワーク機器は後に、専用情報によって、一つ又は幾つかの通信パラメータの設定モードを補正することができる。当該専用情報は、例えば、ＲＲＣシグナリング又はダウンリンク制御シグナリング（Ｄｏｗｎｌｉｎｋ  Ｃｏｎｔｒｏｌ  Ｉｎｆｏｒｍａｔｉｏｎ、略称ＤＣＩ）であってもよい。
【００５０】
本願の実施例において、または、ネットワーク機器は、各通信パラメータに対応する設定モードを確定する時、各種の通信パラメータによって、オプショナル設定モードから各種の通信パラメータに対応する設定モードを選択してもよい。オプショナル設定モードは、システム情報によって設定される設定モードと、無線リソース制御（ＲＲＣ）シグナリングによって設定される設定モードと、物理層シグナリングによって設定される設定モードと、媒体アクセス制御（Ｍｅｄｉｕｍ  Ａｃｃｅｓｓ  Ｃｏｎｔｒｏｌ、略称ＭＡＣ）層シグナリングによって設定される設定モードと、ＲＲＣシグナリング及び物理層シグナリングの両方で設定される設定モードとから選ばれる少なくとも１種の設定モードを含む。
【００５１】
上記物理層シグナリングは、具体的にＤＣＩであってよい。ネットワーク機器は、ＤＣＩによって通信パラメータを設定する時、明示的な指示方式を採用して通信パラメータを指示してもよく、暗黙的な指示方式を採用して通信パラメータを指示してもよい。例えば、通信パラメータがアップリンク波形であることを例とすると、ＤＣＩフォーマット０は、端末機器のアップリンク波形がシングルキャリア周波数分割多元接続方式（Ｓｉｎｇｌｅ−ｃａｒｒｉｅｒ  Ｆｒｅｑｕｅｎｃｙ−Ｄｉｖｉｓｉｏｎ  Ｍｕｌｔｉｐｌｅ  Ａｃｃｅｓｓ、略称ＳＣ−ＦＤＭＡ）であることを暗黙的に指示し、ＤＣＩフォーマット１は、端末機器のアップリンク波形が直交周波数分割多重方式（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ、略称ＯＦＤＭ）であることを暗黙的に指示することができる。
【００５２】
本願の実施例において、または、Ｎ種の通信パラメータは、アップリンク波形を含む。なお、将来の通信システム（例えば、５Ｇ通信システム）においてアップリンクには、ＳＣ−ＦＤＭＡ及びＯＦＤＭの２種類の波形がある。当該２種のアップリンク波形の選択は、端末機器の位置するチャネル環境、ネットワーク機器との距離に密接に関係する。そのため、ネットワーク機器は、アップリンク波形に対応する設定モードを確定する時、端末機器の位置するチャネル環境及び／又は端末機器の移動速度に基づき、オプショナル設定モードにおいて、アップリンク波形に対応する設定モードを確定する。
【００５３】
詳しくは、いくつかの実施例において、チャネル状態が安定し、且つ移動速度が遅い端末機器に対し、ネットワーク機器は、低速のアップリンク波形設定モードを選択することができ、例えば、ＲＲＣシグナリングによってアップリンク波形を設定すると、端末機器は、ＲＲＣシグナリングによって設定されるアップリンク波形のみを使用する。又は、チャネル状態が安定せず、もしくは移動速度が速い端末機器に対し、ネットワーク機器は、アップリンク波形を動的に設定する必要がある。例えば、ネットワーク機器は、物理層シグナリング（例えば、ＤＣＩ）又はＭＡＣ層シグナリングによってアップリンク波形を設定すると、端末機器は、物理層シグナリング、又はＭＡＣ層シグナリングによって設定されるアップリンク波形のみを使用する。又は、端末機器の位置するチャネル状態が安定せず、端末機器の移動速度が遅い場合に、ネットワーク機器は、ＲＲＣシグナリング及び物理層シグナリング（又はＭＡＣ層シグナリング）の両方で設定される設定モードを採用すると、端末機器は、直近受信した設定で直前の設定を置き換える。例えば、接続を確立した直後、ＲＲＣシグナリングにより端末機器に対して設定したアップリンク波形はＳＣ−ＦＤＭＡであり、端末機器の位置するチャネル環境が変更すると、ネットワーク機器がＤＣＩにより端末機器に対して設定したアップリンク波形はＯＦＤＭになり、そして端末機器は、アップリンク波形をＳＣ−ＦＤＭＡからＯＦＤＭに切り替える。
【００５４】
本願の実施例において、または、Ｎ種の通信パラメータは、サブキャリア間隔（又は基本パラメータセット）を含み、ネットワーク機器は、端末機器の位置するセルが用いるサブキャリア間隔の種類の数に基づき、オプショナル設定モードにおいて、サブキャリア間隔に対応する設定モードを確定する。
【００５５】
詳しくは、いくつかの実施例において、前記セルが１種のサブキャリア間隔を用いることを確定する場合に、前記ネットワーク機器は、システム情報によって設定される前記設定モードを、サブキャリア間隔に対応する目標設定モードに確定する。又は、前記セルが複数種のサブキャリア間隔を用いることを確定する場合に、前記ネットワーク機器は、前記オプショナル設定モードに含まれる、ＲＲＣシグナリングによって設定される前記設定モードと、物理層シグナリングによって設定される前記設定モードと、ＭＡＣ層シグナリングによって設定される前記設定モードとの設定モードから選ばれる１種の設定モードを、サブキャリア間隔に対応する設定モードに確定する。
【００５６】
さらに、ネットワーク機器は、システム情報（Ｓｙｓｔｅｍ  Ｉｎｆｏｒｍａｔｉｏｎ）により、サブキャリア間隔の設定モードを端末機器に指示してもよい。端末機器は、システム情報に基づき、セルが用いるサブキャリア間隔（基本パラメータセット）を如何に取得するかを知ることができる。
【００５７】
例えば、端末機器は、ネットワーク機器がシステム情報によってサブキャリア間隔を設定することを確定する場合に、端末機器は、システム情報によって設定されるサブキャリア間隔のみを使用する。又は、端末機器は、ネットワーク機器がＲＲＣシグナリングによってサブキャリア間隔を設定することを確定する場合に、端末機器は、ＲＲＣシグナリングによって設定されるサブキャリア間隔のみを使用する。
【００５８】
なお、セルが複数種のサブキャリア間隔を用いる場合に、ネットワーク機器は、ＲＲＣシグナリング及び物理層シグナリング（又はＭＡＣ層シグナリング）の両方で設定される設定モードを採用してもよく、これに対応し、端末機器は、直近受信した設定で直前の設定を置き換える。例えば、接続を確立した直後、ＲＲＣシグナリングにより端末機器に対して設定されたサブキャリア間隔は１５ｋＨｚであり、端末機器の位置するチャネル環境が変更すると、ネットワーク機器がＤＣＩにより端末機器に対して設定したサブキャリア間隔は２０ｋＨｚになり、そして端末機器は、セルのサブキャリア間隔が１５ｋＨｚから２０ｋＨｚに切り替わることを確定する。
【００５９】
本願の実施例において、または、Ｎ種の通信パラメータは、複信方式を含み、ネットワーク機器は、端末機器の位置するセルが用いる複信方式の種類の数に基づき、オプショナル設定モードにおける複信方式に対応する設定モードを確定するとしてもよい。
【００６０】
詳しくは、いくつかの実施例において、前記セルが１種の複信方式を用いることを確定する場合に、前記ネットワーク機器は、システム情報によって設定される設定モードを、複信方式に対応する設定モードに確定する、又は、前記セルが複数種の複信方式を用いることを確定する場合に、前記ネットワーク機器は、前記オプショナル設定モードに含まれる、ＲＲＣシグナリングによって設定される前記設定モードと、前記物理層シグナリングによって設定される設定モードと、前記ＭＡＣ層シグナリングによって設定される設定モードと、前記ＲＲＣシグナリング及び物理層シグナリングの両方で設定される設定モードとの設定モードから選ばれる１種の設定モードを、複信方式に対応する設定モードに確定する。
【００６１】
さらに、ネットワーク機器は、システム情報及び／又はＲＲＣシグナリングによって端末機器に複信方式の設定モードを指示してもよい。端末機器は、システム情報及び／又はＲＲＣシグナリングに基づき、セルが用いる複信方式を如何に取得するかを知ることができる。
【００６２】
同様に、セルが複数種の複信方式を用いる場合に、ネットワーク機器は、ＲＲＣシグナリング及び物理層シグナリング（又はＭＡＣ層シグナリング）の両方で設定される設定モードを採用してもよい。これに応じて、端末機器は、直近受信した設定で直前の設定を置き換える。例えば、接続を確立した直後、ＲＲＣシグナリングにより端末機器に対して設定された複信方式は、周波数分割複信（Ｆｒｅｑｕｅｎｃｙ  Ｄｉｖｉｓｉｏｎ  Ｄｕｐｌｅｘｉｎｇ、略称ＦＤＤ）であり、端末機器の位置するチャネル環境が変更すると、ネットワーク機器がＤＣＩにより端末機器に対して設定する複信方式は時分割複信（Ｔｉｍｅ  Ｄｉｖｉｓｉｏｎ  Ｄｕｐｌｅｘｉｎｇ、略称ＴＤＤ）になり、そして端末機器は、セルの複信方式がＦＤＤからＴＤＤに切り替わることを確定する。
【００６３】
上記実施形態において、または、セルが用いるサブキャリア間隔は、周波数分割複信（ＦＤＤ）と、時分割複信（ＴＤＤ）と、全複信とから選ばれる少なくとも１種の複信方式を含むとしてもよい。
【００６４】
上記全ての実施例において、または、ネットワーク機器と端末機器は、具体的な設定モードと設定モードの番号との対応関係を予め取り決めてもよい。これにより、ネットワーク機器が設定モード指示情報によりパラメータの設定モードを指示する時、設定モードの番号のみを指示すれば、端末機器は設定モードの番号と予め取り決めた対応関係によって、具体的な設定モードを確定することができる。
【００６５】
例を挙げて、具体的な設定モードと設定モードの番号との対応関係は、表２に示すとおりであってもよい。表２は、具体的な設定モードと設定モードの番号との対応関係の１種を示すものに過ぎず、対応関係について限定を加えるものではない。
【００６６】
【表２】
2020504948.tif 000004
【００６７】
なお、上記実施例では、通信パラメータがアップリンク波形、サブキャリア間隔及び複信方式を含む場合を例として説明しているが、本願の実施例は、上記複数種の通信パラメータに限定されるものではない。その他の通信パラメータについても、本願の実施例による通信パラメータの設定方法に基づいて設定することができる。
【００６８】
上記内容は、図１を参照して、ネットワーク機器側に基づき、本願の実施例による通信パラメータの設定方法を詳しく説明した。次に、図２を参照して、端末機器側に基づき、本願の実施例による通信パラメータの設定方法を詳しく説明する。端末機器側について説明する端末機器とネットワーク機器とのインタラクションは、ネットワーク機器側に基づく説明と同じであり、説明の重複を避けるために、関連する内容を適当に省略する。
【００６９】
図２は、本願の別の実施例による通信パラメータの設定方法を示す。図２に示すように、方法２００は、端末機器が、ネットワーク機器が送信したＮ種（Ｎは１以上の正の整数）の通信パラメータの各種の通信パラメータに対応する設定モードを指示するための設定モード指示情報を受信するステップＳ２１０と、
端末機器が、前記設定モードの指示情報に基づき、前記各種の通信パラメータに対応する設定モードを確定するステップＳ２２０と、
端末機器が、前記各種の通信パラメータに対応する設定モードに基づき、前記各種の通信パラメータを取得するステップＳ２３０とを含む。
【００７０】
本願に係る通信パラメータの設定方法によれば、端末機器は、ネットワーク機器が送信した通信パラメータの設定モードを指示するための指示情報を受信し、受信した指示情報に基づき通信パラメータを取得する。これにより、ネットワーク機器は、通信パラメータに対応する設定モードを動的に確定して、将来の無線ネットワークの需要にも満たせるように、通信パラメータを柔軟に設定することができる。
【００７１】
本願の実施形態において、または、前記各種の通信パラメータに対応する設定モードは、前記ネットワーク機器に、前記各種の通信パラメータ及びオプショナル設定モードに基づいて確定されるものであり、前記オプショナル設定モードは、システム情報によって設定される設定モードと、無線リソース制御（ＲＲＣ）シグナリングによって設定される設定モードと、物理層シグナリングによって設定される設定モードと、媒体アクセス制御（ＭＡＣ）層情報によって設定される設定モードと、ＲＲＣシグナリング及び物理層シグナリングの両方で設定される設定モードとから選ばれる少なくとも１種の設定モードを含むこととしてもよい。
【００７２】
本願の実施例において、または、前記Ｎ種の通信パラメータは、アップリンク波形方式を含むこととしてもよい。
【００７３】
本願の実施例において、または、前記オプショナル設定モードにおけるアップリンク波形方式に対応する設定モードは、前記ネットワーク機器に、前記端末機器の位置するチャネル環境及び／又は前記端末機器の移動速度による確定されるものとしてもよい。
【００７４】
本願の実施例において、または、ステップＳ２１０は具体的に、前記端末機器が、前記ネットワーク機器が送信した前記設定モード指示情報が含まれるＲＲＣシグナリングを受信することとしてもよい。
【００７５】
本願の実施例において、または、前記Ｎ種の通信パラメータは、サブキャリア間隔を含み、前記オプショナル設定モードにおけるサブキャリア間隔に対応する設定モードは、前記ネットワーク機器に、前記端末機器の位置するセルが用いるサブキャリア間隔の種類の数に基づいて確定されるものとしてもよい、
【００７６】
本願の実施例において、または、前記セルが１種のサブキャリア間隔を用いる場合に、サブキャリア間隔に対応する設定モードは、システム情報によって設定される設定モードである、又は、
前記セルが複数種のサブキャリア間隔を用いる場合に、サブキャリア間隔に対応する設定は、前記オプショナル設定に含まれる、ＲＲＣシグナリングによって設定される前記設定モードと、物理層シグナリングによって設定される前記設定モードと、ＭＡＣ層シグナリングによって設定される前記設定モードとの設定モードから選ばれる１種の設定モードを含むこととしてもよい。
【００７７】
本願の実施例において、または、ステップＳ２１０は具体的に、前記端末機器が、前記ネットワーク機器が送信した前記設定モード指示情報が含まれるシステム情報を受信することとしてもよい。
【００７８】
本願の実施例において、または、前記Ｎ種の通信パラメータは、複信方式を含み、前記オプショナル設定モードにおける複信方式に対応する設定モードは、前記ネットワーク機器に、前記端末機器の位置するセルが用いる複信方式の種類の数に基づいて確定されるものとしてもよい。
【００７９】
本願の実施例において、または、前記セルが１種の複信方式を用いる場合に、複信方式に対応する設定モードは、システム情報によって設定される設定モードである、又は、
前記セルが複数種の複信方式を用いる場合に、複信方式に対応する設定モードは、前記オプショナル設定モードに含まれる、ＲＲＣシグナリングによって設定される前記設定モードと、物理層シグナリングによって設定される前記設定モードと、ＭＡＣ層シグナリングによって設定される前記設定モードと、ＲＲＣシグナリング及び物理層シグナリングの両方で設定される設定モードとの設定モードから選ばれる１種の設定モードである。
【００８０】
本願の実施例において、または、前記セルが用いる複信方式は、周波数分割複信（ＦＤＤ）と、時分割複信（ＴＤＤ）と、全複信とから選ばれる少なくとも１種の複信方式を含むこととしてもよい。
【００８１】
本願の実施例において、または、ステップＳ２１０は具体的に、前記端末機器が、前記ネットワーク機器が送信した前記モード設定モード指示情報が含まれるＲＲＣシグナリングを受信することを含む、又は、前記端末機器が、前記ネットワーク機器が送信した前記設定モード指示情報が含まれるシステム情報を受信することである。
【００８２】
上記内容は、図１及び図２を参照して、本願の実施例に係る通信パラメータの設定方法を詳しく説明した。次に、図３を参照して、本願の実施例に係るネットワーク機器を詳しく説明する。図３に示すように、ネットワーク機器１０は、
Ｎ種（Ｎは１以上の正の整数）の通信パラメータの各種の通信パラメータに対応する設定モードを確定するための処理モジュール１１と、
前記各種の通信パラメータに対応する設定モードを指示するための設定モード指示情報を端末機器に送信するための送受信モジュール１２とを含む。
【００８３】
本願の実施例に係るネットワーク機器は、通信パラメータに対応する設定モードを確定した上で、通信パラメータの設定モードを端末機器に指示する。これにより、ネットワーク機器は、通信パラメータに対応する設定モードを動的に確定して、将来の無線ネットワークの需要にも満たせるように、通信パラメータを柔軟に設定することができる。
【００８４】
本願の実施例において、または、前記処理モジュール１１は具体的に、前記各種の通信パラメータ及びオプショナル設定モードに基づき、前記各種の通信パラメータに対応する設定モードを確定し、前記オプショナル設定モードは、システム情報によって設定される設定モードと、無線リソース制御（ＲＲＣ）シグナリングによって設定される設定モードと、物理層シグナリングによって設定される設定モードと、媒体アクセス制御（ＭＡＣ）層シグナリングによって設定される設定モードと、ＲＲＣシグナリング及び物理層シグナリングの両方で設定される設定モードとから選ばれる少なくとも１種の設定モードを含むこととしてもよい。
【００８５】
本願の実施例において、または、前記Ｎ種の通信パラメータは、アップリンク波形方式を含むこととしてもよい。
【００８６】
本願の実施例において、または、前記処理モジュール１１は具体的に、前記端末機器の位置するチャネル環境及び／又は前記端末機器の移動速度に基づき、前記オプショナル設定モードにおけるアップリンク波形方式に対応する設定モードを確定するのに用いられることとしてもよい。
【００８７】
本願の実施例において、または、前記送受信モジュール１２は具体的に、前記設定モード指示情報が含まれるＲＲＣシグナリングを前記端末機器に送信することとしてもよい。
【００８８】
本願の実施例において、または、前記Ｎ種の通信パラメータは、サブキャリア間隔を含み、
前記処理モジュール１１は具体的に、前記端末機器の位置するセルが用いるサブキャリア間隔の種類の数に基づき、前記オプショナル設定モードにおけるサブキャリア間隔に対応する設定モードを確定するのに用いられることとしてもよい。
【００８９】
本願の実施例において、または、前記処理モジュール１１は具体的に、前記セルが１種のサブキャリア間隔を用いることを確定する場合に、システム情報によって設定される前記設定モードを、サブキャリア間隔に対応する設定モードに確定する、又は、前記セルが複数種のサブキャリア間隔を用いることを確定する場合に、前記オプショナル設定モードに含まれる、ＲＲＣシグナリングによって設定される前記設定モードと、物理層シグナリングによって設定される前記設定モードと、ＭＡＣ層シグナリングによって設定される前記設定モードとの設定モードから選ばれる１種の設定モードを、サブキャリア間隔に対応する設定モードに確定することとしてもよい。
【００９０】
本願の実施例において、または、前記送受信モジュール１２は具体的に、前記設定モード指示情報が含まれるシステム情報を前記端末機器に送信するのに用いられることとしてもよい。
【００９１】
本願の実施例において、または、前記Ｎ種の通信パラメータは、複信方式を含み、
前記処理モジュール１１は具体的に、前記端末機器の位置するセルが用いる複信方式の種類の数に基づき、前記オプショナル設定モードにおける複信方式に対応する設定モードを確定することとしてもよい。
【００９２】
本願の実施例において、または、前記処理モジュール１１は具体的に、前記セルが１種の複信方式を用いることを確定する場合に、システムによって設定される設定モードを、複信方式に対応する設定モードに確定する、又は、前記セルが複数種の複信方式を用いることを確定する場合に、前記オプショナル設定モードに含まれる、ＲＲＣシグナリングによって設定される前記設定モードと、物理層シグナリングによって設定される前記設定モードと、ＭＡＣ層シグナリングによって設定される前記設定モードと、ＲＲＣシグナリング及び物理層シグナリングの両方で設定される前記設定モードとの設定モードから選ばれる１種の設定モードを、複信方式に対応する設定モードに確定するのに用いられることとしてもよい。
【００９３】
本願の実施例において、または、前記セルが用いる複信方式は、周波数分割複信（ＦＤＤ）と、時分割複信（ＴＤＤ）と、全複信とから選ばれる少なくとも１種の複信方式を含むこととしてもよい。
【００９４】
本願の実施例において、または、前記送受信モジュール１２は具体的に、前記設定モード指示情報が含まれるＲＲＣシグナリングを前記端末機器に送信する、又は、前記設定モード指示情報が含まれるシステム情報を前記端末機器に送信することとしてもよい。
【００９５】
本願の実施例に係るネットワーク機器においては、本願の実施形態に係る方法１００の関連するプロセスを参照することができ、且つ、当該ネットワーク機器における各ユニット／モジュール及び上記その他の動作及び／又は機能は、方法１００における対応するプロセスをそれぞれ実施するためのものであるので、説明の便宜上、ここで説明を省略する。
【００９６】
図４は、本願の実施例に係る端末機器を示す。図４に示すように、端末機器２０は、ネットワーク機器が送信したＮ種（Ｎは１以上の正の整数）の通信パラメータの各種の通信パラメータに対応する設定モードを指示するための設定モード指示情報を受信するための送受信モジュール２１と、
前記設定モード指示情報に基づき、前記各種の通信パラメータに対応する設定モードを確定するための処理モジュール２２とを含み、
前記処理モジュール２２はさらに、前記各種の通信パラメータに対応する設定モードに基づき、前記各種の通信パラメータを取得するのに用いられる。
【００９７】
本願の実施例に係る端末機器は、ネットワーク機器が送信した通信パラメータの設定モードを指示するための指示情報を受信し、受信した指示情報に基づき通信パラメータを取得する。これにより、ネットワーク機器は、通信パラメータに対応する設定モードを動的に確定して、将来の無線ネットワークの需要にも満たせるように、通信パラメータを柔軟に設定することができる。
【００９８】
本願の実施例において、または、前記各種の通信パラメータに対応する設定モードは、前記ネットワーク機器に、前記各種の通信パラメータ及びオプショナル設定モードに基づいて確定されるものであり、前記オプショナル設定モードは、システム情報によって設定される設定モードと、無線リソース制御（ＲＲＣ）シグナリングによって設定される設定モードと、物理層シグナリングによって設定される設定モードと、媒体アクセス制御（ＭＡＣ）層シグナリングによって設定される設定モードと、ＲＲＣシグナリング及び物理層シグナリングの両方で設定される設定モードとから選ばれる少なくとも１種の設定モードを含むこととしてもよい。
【００９９】
本願の実施例において、または、前記Ｎ種の通信パラメータは、アップリンク波形方式を含むこととしてもよい。
【０１００】
本願の実施例において、または、前記オプショナル設定モードにおけるアップリンク波形方式に対応する設定モードは、前記ネットワーク機器に、前記端末機器の位置するチャネル環境及び／又は前記端末機器の移動速度に基づいて確定されるものとしてもよい。
【０１０１】
本願の実施例において、または、送受信モジュール２１は具体的に、前記ネットワーク機器が送信した前記設定モード指示情報が含まれるＲＲＣシグナリングを受信することとしてもよい。
【０１０２】
本願の実施例において、または、前記Ｎ種の通信パラメータは、サブキャリア間隔を含み、前記オプショナル設定モードにおけるサブキャリア間隔に対応する設定モードは、前記ネットワーク機器に、前記端末機器の位置するセルが用いるサブキャリア間隔の種類の数に基づいて確定されるものとしてもよい。
【０１０３】
本願の実施例において、または、前記セルが１種のサブキャリア間隔を用いる場合に、サブキャリア間隔に対応する設定モードは、システム情報によって設定される設定モードである、又は、前記セルが複数種のサブキャリア間隔を用いる場合に、サブキャリア間隔に対応する設定モードは、前記オプショナル設定に含まれる、ＲＲＣシグナリングによって設定される前記設定モードと、物理層シグナリングによって設定される前記設定モードと、ＭＡＣ層シグナリングによって設定される前記設定モードとの設定モードから選ばれる１種の設定モードを含むこととしてもよい。
【０１０４】
本願の実施例において、または、前記送受信モジュール２１は具体的に、前記ネットワーク機器が送信した前記設定モード指示情報が含まれるシステム情報を受信するのに用いられることとしてもよい。
【０１０５】
本願の実施例において、または、前記Ｎ種の通信パラメータは、複信方式を含み、前記オプショナル設定モードにおける複信方式に対応する設定モードは、前記ネットワーク機器に、前記端末機器の位置するセルが用いる複信方式の種類の数に基づいて確定されるものとしてもよい。
【０１０６】
本願の実施例において、または、前記セルが１種の複信方式を用いる場合に、複信方式に対応する設定モードは、システム情報によって設定される設定モードである、又は、前記セルが複数種の複信方式を用いる場合に、複信方式に対応する設定モードは、前記オプショナル設定モードに含まれる、ＲＲＣシグナリングによって設定される前記設定モードと、物理層シグナリングによって設定される前記設定モードと、ＭＡＣ層シグナリングによって設定される前記設定モードと、ＲＲＣシグナリング及び物理層シグナリングの両方で設定される設定モードとの設定モードから選ばれる１種の設定モードであることとしてもよい。
【０１０７】
本願の実施例において、または、前記セルが用いる複信方式は、周波数分割複信（ＦＤＤ）と、時分割複信（ＴＤＤ）と、全複信とから選ばれる少なくとも１種の複信方式を含むこととしてもよい。
【０１０８】
本願の実施例において、または、前記送受信モジュール２１は具体的に、前記ネットワーク機器が送信した前記モード設定モード指示情報が含まれるＲＲＣシグナリングを受信する、又は、前記ネットワーク機器が送信した前記設定モード指示情報が含まれるシステム情報を受信するのに用いられることとしてもよい。
【０１０９】
本願の実施例に係る端末機器については、本願の実施形態に係る方法２００の関連するプロセスを参照することができ、且つ、当該端末機器における各ユニット／モジュール及び上記その他の動作及び／又は機能は、方法２００における対応するプロセスをそれぞれ実施するためのものであるので、説明の便宜上、ここで説明を省略する。
【０１１０】
図５は、本願の別の実施例によるネットワーク機器を示す。図５に示すように、ネットワーク機器１００は、プロセッサ１１０と、トランシーバー１２０とを含む。プロセッサ１１０がトランシーバー１２０に接続される。または、ネットワーク機器１００は、プロセッサ１１０に接続されるメモリ１３０をさらに含む。プロセッサ１１０と、メモリ１３０と、トランシーバー１２０とは、内部の接続バスによって互いに通信することができる。プロセッサ１１０は、Ｎ種（Ｎは１以上の正の整数）の通信パラメータの各種の通信パラメータに対応する設定モードを確定するのに用いられ、トランシーバー１２０は、前記各種の通信パラメータに対応する設定モードを指示するための設定モード指示情報を端末機器に送信する。
【０１１１】
本願の実施例に係るネットワーク機器は、通信パラメータに対応する設定モードを確定した上で、通信パラメータの設定モードを端末機器に指示する。これにより、ネットワーク機器は、通信パラメータに対応する設定モードを動的に確定して、将来の無線ネットワークの需要にも満たせるように、通信パラメータを柔軟に設定することができる。
【０１１２】
本願の実施例に係るネットワーク機器１００については、本発明の実施形態に係るネットワーク機器１０を参照することができ、且つ、当該端末機器における各ユニット／モジュール及び上記その他の動作及び／又は機能は、方法１００における対応するプロセスをそれぞれ実施するためのものであるので、説明の便宜上、ここで説明を省略する。
【０１１３】
図６は、本願の別の実施例による端末機器を概略的に示すブロック図である。図６に示すように、端末機器２００は、プロセッサ２１０と、トランシーバー２２０とを含み、プロセッサ２１０がトランシーバー２２０に接続される。または、端末機器２００は、プロセッサ２１０に接続されるメモリ２３０をさらに含む。プロセッサ２１０と、メモリ２３０と、トランシーバー２２０とは、内部の接続バスによって互いに通信することができる。プロセッサ２２０は、ネットワーク機器が送信したＮ種（Ｎは１以上の正の整数）の通信パラメータの各種の通信パラメータに対応する設定モードを指示するための設定モード指示情報を受信するのに用いられ、トランシーバー２１０は、前記設定モード指示情報に基づき、前記各種の通信パラメータに対応する設定モードを確定し、前記各種の通信パラメータに対応する設定モードに基づき、前記各種の通信パラメータを取得するのに用いられる。
【０１１４】
本願の実施例に係る端末機器は、ネットワーク機器が送信した通信パラメータの設定モードを指示するための指示情報を受信し、受信した指示情報に基づき通信パラメータを取得する。これにより、ネットワーク機器は、通信パラメータに対応する設定モードを動的に確定して、将来の無線ネットワークの需要にも満たせるように、通信パラメータを柔軟に設定することができる。
【０１１５】
本願の実施例に係る端末機器２００については、本願の実施形態に係る端末機器２０を参照することができ、且つ、当該端末機器における各ユニット／モジュール及び上記その他の動作及び／又は機能は、方法２００における対応するプロセスをそれぞれ実施するためのものであるので、説明の便宜上、ここで説明を省略する。
【０１１６】
本発明の実施形態におけるプロセッサは、信号処理能力を備える集積回路チップであってもよい。当該プロセッサは、汎用プロセッサ、デジタル信号プロセッサ（Ｄｉｇｉｔａｌ  Ｓｉｇｎａｌ  Ｐｒｏｃｅｓｓｏｒ、略称ＤＳＰ）、特定用途向け集積回路（Ａｐｐｌｉｃａｔｉｏｎ  Ｓｐｅｃｉｆｉｃ  Ｉｎｔｅｇｒａｔｅｄ  Ｃｉｒｃｕｉｔ、略称ＡＳＩＣ）、フィールドプログラマブルゲートアレイ（Ｆｉｅｌｄ  Ｐｒｏｇｒａｍｍａｂｌｅ  Ｇａｔｅ  Ａｒｒａｙ、略称ＦＰＧＡ）、又はその他のプログラマブル論理部品、ディスクリートトランジスタもしくはトランジスタ論理部品、ディスクリートハードウェア部品であってもよい。本願の実施例に開示されている各方法、ステップ及び論理ブロック図を実施又は実行することができる。そのうち汎用プロセッサは、マイクロプロセッサ、又は任意の一般的なプロセッサなどであってもよい。
【０１１７】
本願の実施例におけるメモリは、揮発性メモリもしくは不揮発性メモリ、又は揮発性メモリ及び不揮発性メモリの両方を含むものである。そのうち不揮発性メモリは、読み出し専用メモリ（Ｒｅａｄ−Ｏｎｌｙ  Ｍｅｍｏｒｙ、略称ＲＯＭ）、プログラマブル読み出し専用メモリ（Ｐｒｏｇｒａｍｍａｂｌｅ  ＲＯＭ、略称ＰＲＯＭ）、消去可能プログラマブル読み出し専用メモリ（Ｅｒａｓａｂｌｅ  ＰＲＯＭ、略称ＥＰＲＯＭ）、電気的消去可能プログラマブル読み出し専用メモリ（Ｅｌｅｃｔｒｉｃａｌｌｙ  ＥＰＲＯＭ、略称ＥＥＰＲＯＭ）、又はフラッシュメモリであってもよい。そのうち揮発性メモリは、ランダムアクセスメモリ（Ｒａｎｄｏｍ  Ａｃｃｅｓｓ  Ｍｅｍｏｒｙ、略称ＲＡＭ）であってもよく、外部キャッシュとして用いられる。限定を加えない例示的なものとして、様々な形態のＲＡＭ、例えばスタティックランダムアクセスメモリ（Ｓｔａｔｉｃ  ＲＡＭ、略称ＳＲＡＭ）、ダイナミックランダムアクセスメモリ（Ｄｙｎａｍｉｃ  ＲＡＭ、略称ＤＲＡＭ）、同期ダイナミックランダムアクセスメモリ（Ｓｙｎｃｈｒｏｎｏｕｓ  ＤＲＡＭ、略称ＳＤＲＡＭ）、ダブルデータレート同期ダイナミックランダムアクセスメモリ（Ｄｏｕｂｌｅ  Ｄａｔａ  Ｒａｔｅ  ＳＤＲＡＭ、略称ＤＤＲ  ＳＤＲＡＭ）、拡張型同期ダイナミックランダムアクセスメモリ（Ｅｎｈａｎｃｅｄ  ＳＤＲＡＭ、略称ＥＳＤＲＡＭ）、同期リンクダイナミックランダムアクセスメモリ（Ｓｙｎｃｈｌｉｎｋ  ＤＲＡＭ、略称ＳＬＤＲＡＭ）及びダイレクトラムバスランダムアクセスメモリ（Ｄｉｒｅｃｔ  Ｒａｍｂｕｓ  ＲＡＭ、略称ＤＲ  ＲＡＭ）を用いることができる。なお、本明細書に記載されているシステム及び方法に係るメモリは、上記メモリ及びその他の適切なあらゆるタイプのメモリを含み、これらに限定されない。
【０１１８】
当業者にとって自明なように、本明細書に開示されている各実施形態に記載の例示的なユニット、アルゴリズム及びステップは、電子ハードウェア、又は電子ハードウェアとコンピュータソフトウェアの組み合わせにより実施することができる。該当機能はハードウェアで実行するか、それともソフトウェアで実行するかは、該当発明の特定の用途及び設計上の制限条件に依存する。当業者であれば、特定の用途ごとに異なる方法を用いて当該機能を実施することができ、このような実施は本発明の範囲を逸脱するものではない。
【０１１９】
当業者にとって自明なように、上記のように説明されているシステム、装置及びユニットの具体的な動作プロセスは、上記方法に関する実施形態の対応するプロセスを参照することができるため、説明の便宜上、詳細な説明を省略する。
【０１２０】
本願のいくつかの実施例に披露されているシステム、装置及び方法は、その他の形態によっても実施できる。上記のように説明されている装置に関する実施形態は、例示的なものに過ぎない。上記に記載のとおり各ユニットを設定しているのは、論理上の機能区分に過ぎず、実施する際に別の形態で区分することもでき、例えば、複数のユニット又は部品を別のシステムに組み合わせるかもしくは集積させたり、又は一部の特徴を反映させず、実行しなかったりしてもよい。また、上記のように説明されている直接的な接続又は通信接続などの部品間の接続形態は、いくつかのインタフェース、装置又はユニットを用いた間接的接続又は通信接続であってもよく、電気的形態、機械的形態又は他の形態であってもよい。
【０１２１】
分離部品として説明されている上記各ユニットは、物理的に分離されるものでも、そうでないものであってもよい。ユニットとして表示される各部品は、物理的なユニットであってもそうでなくてもよい。すなわち、同一の場所に設けられるものであってもよく、複数のネットワークユニットに配置されるものであってもよい。必要に応じて、そのうち一部のユニットのみを用いるか、又は全てのユニットを用いて当該実施形態に係る目的を達成することができる。
【０１２２】
本願の各実施例において、各機能ユニットが１つの処理ユニットに集積されてもよく、各ユニットが単独で物理的な部品として存在する、又は２つ以上のユニットが１つのユニットに集積されてもよい。
【０１２３】
本明細書に記載されている各機能は、ソフトウェアの機能ユニットの形態で実施され、且つ独立する製品として販売又は使用する場合に、コンピュータ読み取り可能記憶媒体に記憶することができる。これにより、本発明の趣旨、すなわち従来技術に対して貢献する発明又は当該発明の一部は、ソフトウェア製品の形態で実施することができる。当該コンピュータソフトウェア製品は、記憶媒体に記憶されており、コンピュータデバイス（パソコン、サーバ、又はネットワーク機器など）が本発明の各実施形態に記載の方法の全てのステップ又はその一部を実行するためのいくつかのコマンドを含む。上記記憶媒体は、ＵＳＢフラッシュメモリ、モバイルハードディスク、読み出し専用メモリ（Ｒｅａｄ−Ｏｎｌｙ  Ｍｅｍｏｒｙ、略称ＲＯＭ）、ランダムアクセスメモリ（Ｒａｎｄｏｍ  Ａｃｃｅｓｓ  Ｍｅｍｏｒｙ、略称ＲＡＭ）、磁気ディスク又はコンパクトディスクなど、プロクラムコードを記憶可能な各種の媒体を含む。
【０１２４】
本明細書に記載されている内容は、本発明の具体的な実施形態に過ぎず、本発明の保護範囲はこれに限定されない。当業者が本発明に開示されている技術範囲において容易に想到し得る変更や置換などは、いずれも本発明の保護範囲に含まれる。これにより、本発明の保護範囲は、特許請求の範囲の内容に準拠すべきである。
【図１】
2020504948.tif 000005
【図２】
2020504948.tif 000006
【図３】
2020504948.tif 000007
【図４】
2020504948.tif 000008
【図５】
2020504948.tif 000009
【図６】
2020504948.tif 000010
【手続補正書】
【提出日】令和1年6月21日(2019.6.21)
【手続補正１】
【補正対象書類名】明細書
【補正対象項目名】全文
【補正方法】変更
【補正の内容】
【発明の詳細な説明】
【技術分野】
【０００１】
本発明は、通信分野に関し、より詳しくは、通信パラメータの設定方法及び機器に関する。
【背景技術】
【０００２】
従来の無線ネットワークにおけるパラメータの設定方法は主に、静的設定方法、準静的設定方法及び動的設定方法という三つがある。１つの具体的なパラメータは、これら３つの方法のうちのいずれかで設定されなければならない。
【０００３】
将来の無線ネットワークには、非常に多くのシーンとパラメータを用いている。１つのパラメータを１種の設定方法だけで設定するのでは、通信システムの需要を満たせない。
【０００４】
そのため、将来の無線ネットワークの需要にも満たせるように、通信パラメータを柔軟に設定することのできる通信パラメータの設定方法を提供する必要がある。
【発明の概要】
【発明が解決しようとする課題】
【０００５】
本発明は、将来の無線ネットワークの需要にも満たせるように、通信パラメータを柔軟に設定することのできる通信パラメータの設定方法及び機器を提供するためになされるものである。
【課題を解決するための手段】
【０００６】
本発明の第１の態様として、通信パラメータの設定方法を提供する。当該方法は、ネットワーク機器がＮ種（Ｎは１以上の正の整数）の通信パラメータの各種の通信パラメータに対応する設定モードを確定するステップと、前記ネットワーク機器が、前記各種の通信パラメータに対応する設定モードを指示するための設定モード指示情報を端末機器に送信するステップとを含む。
【０００７】
本発明に係る通信パラメータの設定方法によれば、ネットワーク機器は、通信パラメータに対応する設定モードを確定した上で、端末機器に通信パラメータの設定モードを指示する。これにより、ネットワーク機器は、通信パラメータに対応する設定モードを動的に確定して、将来の無線ネットワークの需要にも満たせるように、通信パラメータを柔軟に設定することができる。
【０００８】
本発明の第１の態様に基づく第１の態様の１つの実施形態において、前記ネットワーク機器がＮ種の通信パラメータの各種の通信パラメータに対応する設定モードを確定する前記ステップは、前記ネットワーク機器が、前記各種の通信パラメータ及びオプショナル設定モードに基づき、前記各種の通信パラメータに対応する設定モードを確定することを含み、前記オプショナル設定モードは、システム情報によって設定される設定モードと、無線リソース制御（ＲＲＣ）シグナリングによって設定される設定モードと、物理層シグナリングによって設定される設定モードと、媒体アクセス制御（ＭＡＣ）層シグナリングによって設定される設定モードと、ＲＲＣシグナリング及び物理層シグナリングの両方で設定される設定モードとから選ばれる少なくとも１種の設定モードを含む。
【０００９】
本発明の第１の態様及び上記実施形態に基づく本発明の第１の態様の別の実施形態において、前記Ｎ種の通信パラメータは、アップリンク波形方式を含む。
【００１０】
本発明の第１の態様及び上記実施形態に基づく本発明の第１の態様の別の実施形態において、前記ネットワーク機器が前記各種の通信パラメータ及びオプショナル設定モードに基づき、前記各種の通信パラメータに対応する設定モードを確定することは、前記ネットワーク機器が、前記端末機器の位置するチャネル環境又は前記端末機器の移動速度の少なくとも１つに基づき、前記オプショナル設定モードにおけるアップリンク波形方式に対応する設定モードを確定することを含む。
【００１１】
本発明の第１の態様及び上記実施形態に基づく本発明の第１の態様の別の実施形態において、前記ネットワーク機器が前記端末機器に設定モード指示情報を送信する前記ステップは、前記ネットワーク機器が、前記設定モード指示情報が含まれるＲＲＣシグナリングを前記端末機器に送信することを含む。
【００１２】
本発明の第１の態様及び上記実施形態に基づく本発明の第１の態様の別の実施形態において、前記Ｎ種の通信パラメータは、サブキャリア間隔を含み、
前記ネットワーク機器が、前記各種の通信パラメータ及びオプショナル設定モードに基づき、前記各種の通信パラメータに対応する設定モードを確定することは、前記ネットワーク機器が、前記端末機器の位置するセルが用いるサブキャリア間隔の種類の数に基づき、前記オプショナル設定モードにおけるサブキャリア間隔に対応する設定モードを確定することを含む。
【００１３】
本発明の第１の態様及び上記実施形態に基づく本発明の第１の態様の別の実施形態において、前記ネットワーク機器が、前記端末機器の位置するセルが用いるサブキャリア間隔の種類の数に基づき、オプショナル設定モードにおけるサブキャリア間隔に対応する設定モードを確定する前記ステップは、前記セルが１種のサブキャリア間隔を用いることを確定する場合に、前記ネットワーク機器が、システム情報によって設定される前記設定モードを、サブキャリア間隔に対応する設定モードに確定することを含む、又は、前記セルが複数種のサブキャリア間隔を用いることを確定する場合に、前記ネットワーク機器が、前記オプショナル設定モードに含まれる、ＲＲＣ情報によって設定される前記設定モードと、物理層シグナリングによって設定される前記設定モードと、ＭＡＣ層シグナリングによって設定される前記設定モードとの設定モードから選ばれる１種の設定モードを、サブキャリア間隔に対応する設定モードに確定することを含む。
【００１４】
本発明の第１の態様及び上記実施形態に基づく本発明の第１の態様の別の実施形態において、前記ネットワーク機器が、端末機器に設定モード指示情報を送信する前記ステップは、前記ネットワーク機器が、前記設定モード指示情報が含まれるシステム情報を前記端末機器に送信することを含む。
【００１５】
本発明の第１の態様及び上記実施形態に基づく本発明の第１の態様の別の実施形態において、前記Ｎ種の通信パラメータは、複信方式を含み、
前記ネットワーク機器が、前記各種の通信パラメータ及びオプショナル設定モードに基づき、前記各種の通信パラメータに対応する設定モードを確定する前記ステップは、前記ネットワーク機器が、前記端末機器の位置するセルが用いる複信方式の種類の数に基づき、前記オプショナル設定モードにおける複信方式に対応する設定モードを確定することを含む。
【００１６】
本発明の第１の態様及び上記実施形態に基づく本発明の第１の態様の別の実施形態において、前記ネットワーク機器が、前記端末機器の位置するセルが用いる複信方式の種類の数に基づき、前記オプショナル設定モードにおける複信方式に対応する設定モードを確定する前記ステップは、前記セルが１種の複信方式を用いることを確定する場合に、前記ネットワーク機器が、システム情報によって設定される設定モードを、複信方式に対応する設定モードに確定することを含む、又は、前記セルが複数種の複信方式を用いることを確定する場合に、前記ネットワーク機器が、前記オプショナル設定モードに含まれる、ＲＲＣシグナリングによって設定される前記設定モードと、物理層シグナリングによって設定される前記設定モードと、ＭＡＣ層シグナリングによって設定される前記設定モードと、ＲＲＣシグナリング及び物理層シグナリングの両方で設定される前記設定モードとの設定モードから選ばれる１種の設定モードを、複信方式に対応する設定モードに確定することを含む。
【００１７】
本発明の第１の態様及び上記実施形態に基づく本発明の第１の態様の別の実施形態において、前記セルが用いる複信方式は、周波数分割複信（ＦＤＤ）と、時分割複信（ＴＤＤ）と、全複信とから選ばれる少なくとも１種の複信方式を含む。
【００１８】
本発明の第１の態様及び上記実施形態に基づく本発明の第１の態様の別の実施形態において、前記ネットワーク機器が、端末機器に設定モード指示情報を送信する前記ステップは、前記ネットワーク機器が、前記設定モード指示情報が含まれるＲＲＣシグナリングを前記端末機器に送信することを含む、又は、前記ネットワーク機器が、前記設定モード指示情報が含まれるシステム情報を前記端末機器に送信することを含む。
【００１９】
本発明の第２の態様として、通信パラメータの設定方法を提供する。当該方法は、端末機器が、ネットワーク機器が送信したＮ種（Ｎは１以上の正の整数）の通信パラメータの各種の通信パラメータに対応する設定モードを指示するための設定モード指示情報を受信するステップと、前記端末機器が、前記設定モード指示情報に基づき、前記各種の通信パラメータに対応する設定モードを確定するステップと、前記端末機器が、前記各種の通信パラメータに対応する設定モードに基づき、前記各種の通信パラメータを取得するステップとを含む。
【００２０】
本発明に係る通信パラメータの設定方法によれば、端末機器は、ネットワーク機器が送信した通信パラメータの設定モードを指示するための指示情報を受信し、受信した指示情報に基づき通信パラメータを取得する。これにより、ネットワーク機器は、通信パラメータに対応する設定モードを動的に確定して、将来の無線ネットワークの需要にも満たせるように、通信パラメータを柔軟に設定することができる。
【００２１】
第２の態様に基づく第２の態様の１つの実施形態において、前記各種の通信パラメータに対応する設定モードは、前記ネットワーク機器により、前記各種の通信パラメータ及びオプショナル設定モードに基づいて確定されるものであり、前記オプショナル設定モードは、システム情報によって設定される設定モードと、無線リソース制御（ＲＲＣ）シグナリングによって設定される設定モードと、物理層シグナリングによって設定される設定モードと、媒体アクセス制御（ＭＡＣ）層情報によって設定される設定モードと、ＲＲＣシグナリング及び物理層シグナリングの両方で設定される設定モードとから選ばれる少なくとも１種の設定モードを含む。
【００２２】
第２の態様及び上記実施形態に基づく第２の態様の別の実施形態は、前記Ｎ種の通信パラメータが、アップリンク波形方式を含む。
【００２３】
第２の態様及び上記実施形態に基づく第２の態様の別の実施形態において、前記オプショナル設定モードにおけるアップリンク波形方式に対応する設定モードは、前記ネットワーク機器により、前記端末機器の位置するチャネル環境又は前記端末機器の移動速度の少なくとも１つに基づいて確定されるものである。
【００２４】
第２の態様及び上記実施形態に基づく第２の態様の別の実施形態において、前記端末機器が、ネットワーク機器が送信した設定モード指示情報を受信するステップは、前記端末機器が、前記ネットワーク機器が送信した、前記設定モード指示情報が含まれるＲＲＣシグナリングを受信することを含む。
【００２５】
第２の態様及び上記実施形態に基づく第２の態様の別の実施形態において、前記Ｎ種の通信パラメータは、サブキャリア間隔を含み、前記オプショナル設定モードにおけるサブキャリア間隔に対応する設定モードは、前記ネットワーク機器により、前記端末機器の位置するセルが用いるサブキャリア間隔の種類の数に基づいて確定されるものである。
【００２６】
第２の態様及び上記実施形態に基づく第２の態様の別の実施形態において、前記セルが１種のサブキャリア間隔を用いる場合に、サブキャリア間隔に対応する設定モードは、システム情報によって設定される設定モードである、又は、前記セルが複数種のサブキャリア間隔を用いる場合に、サブキャリア間隔に対応する設定モードは、前記オプショナル設定モードに含まれる、ＲＲＣシグナリングによって設定される前記設定モードと、物理層シグナリングによって設定される前記設定モードと、ＭＡＣ層シグナリングによって設定される前記設定モードとの設定モードから選ばれる１種の設定モードを含む。
【００２７】
第２の態様及び上記実施形態に基づく第２の態様の別の実施形態において、前記端末機器が、ネットワーク機器が送信した設定モード指示情報を受信する前記ステップは、前記端末機器が、前記ネットワーク機器が送信した前記設定モード指示情報が含まれるシステム情報を受信することを含む。
【００２８】
第２の態様及び上記実施形態に基づく第２の態様の別の実施形態において、前記Ｎ種の通信パラメータは、複信方式を含み、前記オプショナル設定モードにおける複信方式に対応する設定モードは、前記ネットワーク機器により、前記端末機器の位置するセルが用いる複信方式の種類の数に基づいて確定されるものである。
【００２９】
第２の態様及び上記実施形態に基づく第２の態様の別の実施形態において、前記セルが１種の複信方式を用いる場合に、複信方式に対応する設定モードは、システム情報に設定される設定モードである、又は、前記セルが複数種の複信方式を用いる場合に、複信方式に対応する設定モードは、前記オプショナル設定モードに含まれる、ＲＲＣシグナリングによって設定される前記設定モードと、物理層シグナリングによって設定される前記設定モードと、ＭＡＣ層シグナリングによって設定される前記設定モードと、ＲＲＣシグナリング及び物理層シグナリングの両方で設定される設定モードとの設定モードから選ばれる１種の設定モードである。
【００３０】
第２の態様及び上記実施形態に基づく第２の態様の別の実施形態において、前記セルが用いる複信方式は、周波数分割複信（ＦＤＤ）と、時分割複信（ＴＤＤ）と、全複信とから選ばれる少なくとも１種の複信方式を含む。
【００３１】
第２の態様及び上記実施形態に基づく第２の態様の別の実施形態において、前記端末機器が、ネットワーク機器が送信した設定モード指示情報を受信する前記ステップは、前記端末機器が、前記ネットワーク機器が送信した前記モード設定モード指示情報が含まれるＲＲＣシグナリングを受信することを含む、又は、前記端末機器が、前記ネットワーク機器が送信した、前記設定モード指示情報が含まれるシステム情報を受信することを含む。
【００３２】
第３の態様として、本発明の第１の態様又は第１の態様に係る任意可能な実施形態による方法を実行するためのネットワーク機器を提供する。詳しくは、当該ネットワーク機器が、前記第１の態様又は第１の態様に係る任意可能な実施形態による方法を実行するための機能モジュールを含む。
【００３３】
第４の態様として、前記の第２の態様又は第２の態様に係る任意可能な実施形態による方法を実行するための端末機器を提供する。詳しくは、当該端末機器が、前記第２の態様又は第２の態様に係る任意可能な実施形態による方法を実行するための機能モジュールを含む。
【００３４】
第５の態様として、プロセッサと、メモリと、トランシーバーとを含むネットワーク機器を提供する。前記プロセッサと、前記メモリと、前記トランシーバーとは内部の接続バスを通じて互いに通信し、制御信号及び／又はデータ信号を伝送することにより、前記ネットワーク機器は、前記第１の態様又は第１の態様に係る任意可能な実施形態における方法を実行する。
【００３５】
第６の態様として、プロセッサと、メモリと、トランシーバーとを含む端末機器を提供する。前記プロセッサと、前記メモリと、前記トランシーバーとは内部の接続バスを通じて互いに通信し、制御信号及び／又はデータ信号を伝送することにより、前記端末機器は、前記第２の態様又は第２の態様に係る任意可能な実施形態における方法を実行する。
【００３６】
第７の態様として、コンピュータプログラムを記憶するためのコンピュータ読み取り可能媒体を提供する。当該コンピュータプログラムは、前記第１の態様又は第１の態様に係る任意可能な実施形態における方法を実行するためのコマンドを含む。
【００３７】
第８の態様として、コンピュータプログラムを記憶するためのコンピュータ読み取り可能媒体を提供する。当該コンピュータプログラムは、本発明の第２の態様又は第２の態様に係る任意可能な実施形態における方法を実行するためのコマンドを含む。
【図面の簡単な説明】
【００３８】
【図１】本願の実施例に係る通信パラメータの設定方法のプロセスを概略的に示すフローチャートである。
【図２】本願の別の実施例に係る通信パラメータの設定方法のプロセスを概略的に示すフローチャートである。
【図３】本願の実施例に係るネットワーク機器を概略的に示すブロック図である。
【図４】本願の実施例に係る端末機器を概略的に示すブロック図である。
【図５】本願の別の実施例に係るネットワーク機器を概略的に示すブロック図である。
【図６】本願の別の実施例に係る端末機器を概略的に示すブロック図である。
【発明を実施するための形態】
【００３９】
本願に係る各実施例における図面を参照しながら、明確かつ完全に説明する。
【００４０】
本願に係る実施例の解決手段は、グローバル移動体通信（Ｇｌｏｂａｌ  Ｓｙｓｔｅｍ  ｏｆ  Ｍｏｂｉｌｅ  ｃｏｍｍｕｎｉｃａｔｉｏｎ、略称ＧＳＭ）システム、符号分割多元接続（Ｃｏｄｅ  Ｄｉｖｉｓｉｏｎ  Ｍｕｌｔｉｐｌｅ  Ａｃｃｅｓｓ、略称ＣＤＭＡ）システム、広帯域符号分割多元接続（Ｗｉｄｅｂａｎｄ  Ｃｏｄｅ  Ｄｉｖｉｓｉｏｎ  Ｍｕｌｔｉｐｌｅ  Ａｃｃｅｓｓ、略称ＷＣＤＭＡ）システム、汎用パケット無線サービス（Ｇｅｎｅｒａｌ  Ｐａｃｋｅｔ  Ｒａｄｉｏ  Ｓｅｒｖｉｃｅ、略称ＧＰＲＳ）、ロングタームエボリューション（Ｌｏｎｇ  Ｔｅｒｍ  Ｅｖｏｌｕｔｉｏｎ、略称ＬＴＥ）システム、ＬＴＥ周波数分割複信（Ｆｒｅｑｕｅｎｃｙ  Ｄｉｖｉｓｉｏｎ  Ｄｕｐｌｅｘ、略称ＦＤＤ）システム、ＬＴＥ時分割複信（Ｔｉｍｅ  Ｄｉｖｉｓｉｏｎ  Ｄｕｐｌｅｘ、略称ＴＤＤ）システム、ユニバーサル移動体通信システム（Ｕｎｉｖｅｒｓａｌ  Ｍｏｂｉｌｅ  Ｔｅｌｅｃｏｍｍｕｎｉｃａｔｉｏｎ  Ｓｙｓｔｅｍ、略称ＵＭＴＳ）、ワイマックス（Ｗｏｒｌｄｗｉｄｅ  Ｉｎｔｅｒｏｐｅｒａｂｉｌｉｔｙ  ｆｏｒ  Ｍｉｃｒｏｗａｖｅ  Ａｃｃｅｓｓ、略称ＷｉＭＡＸ）システムなど既存の通信システム、次世代の５Ｇ  Ｎｅｗ  Ｒａｄｉｏ（ＮＲ）通信システムなど、様々な通信システムに用いられることができる。
【００４１】
本願の実施例において、端末機器は、移動局（Ｍｏｂｉｌｅ  Ｓｔａｔｉｏｎ、略称ＭＳ）、携帯端末（Ｍｏｂｉｌｅ  Ｔｅｒｍｉｎａｌ）、携帯電話（Ｍｏｂｉｌｅ  Ｔｅｌｅｐｈｏｎｅ）、ユーザ機器（Ｕｓｅｒ  Ｅｑｕｉｐｍｅｎｔ、略称ＵＥ）、移動電話（ｈａｎｄｓｅｔ）及びポータブルデバイス（ｐｏｒｔａｂｌｅ  ｅｑｕｉｐｍｅｎｔ）、自動車（ｖｅｈｉｃｌｅ）などを含み、これらに限定されない。当該端末機器は、無線アクセスネットワーク（Ｒａｄｉｏ  Ａｃｃｅｓｓ  Ｎｅｔｗｏｒｋ、略称ＲＡＮ）によって１つ以上のコアネットワークと通信することができる。例えば、端末機器は、携帯電話（セルラー方式の移動電話）、無線通信機能を備えるコンピュータなどであってもよい。端末機器は、携帯式、ポケット式、ハンドヘルド式、コンピュータに内蔵される装置又は車載の移動装置であってもよい。
【００４２】
本願の実施例に係るネットワーク機器は、無線アクセスネットワークに配置され、端末機器に無線通信機能提供するための機器である。当該ネットワーク機器は、様々な形態のマクロ基地局、マイクロ基地局、中継局、アクセスポイントなどを含む基地局であってもよい。異なる無線アクセス技術を採用するシステムにおいて、基地局機能を備える機器の名称は異なる可能性がある。例えば、ＬＴＥネットワークにおいて、進化型ノードＢ（Ｅｖｏｌｖｅｄ  ＮｏｄｅＢ、略称ｅＮＢ又はｅＮｏｄｅＢ）と称され、第３世代（３ｒｄ  Ｇｅｎｅｒａｔｉｏｎ、略称３Ｇ）通信ネットワークにおいて、ノードＢ（ＮｏｄｅＢ）と称される。
【００４３】
図１は、本願の一実施例に係る通信パラメータの設定方法を示す。図１に示すように、方法１００は、ネットワーク機器が、Ｎ種（Ｎは１以上の正の整数）の通信パラメータの各種の通信パラメータに対応する設定モードを確定するステップＳ１１０と、
ネットワーク機器が、前記各種の通信パラメータに対応する設定モードを指示するための設定モード指示情報を端末機器に送信するステップＳ１２０とを含む。
【００４４】
本願の実施例に係る通信パラメータの設定方法によれば、ネットワーク機器は、通信パラメータに対応する設定モードを確定した上で、通信パラメータの設定モードを端末機器に指示する。これにより、ネットワーク機器は、通信パラメータに対応する設定モードを動的に確定して、将来の無線ネットワークの需要にも満たせるように、通信パラメータを柔軟に設定することができる。
【００４５】
一実施例において、ネットワーク機器は、１種の通信パラメータに対応する設定モードを確定するたびに、端末機器に設定モード指示情報を送信して、当該種の通信パラメータに対応する設定モードを端末機器に通知する。又は、ネットワーク機器は、複数種の通信パラメータの各種の通信パラメータに対応する設定モードを確定した上で、１件の設定モード指示情報によって、当該複数種の通信パラメータの各種の通信パラメータに対応する設定モードを端末機器に通知してもよい。
【００４６】
例えば、ステップＳ１２０における設定モード指示情報の具体的な形態は、表であってもよい。当該表は、各種の通信パラメータ及び対応する設定モードを規定し、表１には表の１つの可能なフォーマットを示している。
【００４７】
【表１】
2020504948.tif 000011
【００４８】
且つ、一実施例において、設定モード指示情報（表１）は、ネットワーク機器がブロードキャストの方式で端末機器に対して設定するものであってもよく、ネットワーク機器が専用シグナリングにより端末機器に対して設定するものであってもよい。当該専用情報は、例えば、無線リソース制御（Ｒａｄｉｏ  Ｒｅｓｏｕｒｃｅ  Ｃｏｎｔｒｏｌ、略称ＲＲＣ）シグナリングであってもよい。且つ、ある１種の通信パラメータに対応する設定モードが「Ｖｏｉｄ」である場合に、システムは今回当該通信パラメータの設定モードを指定せず、後にシグナリングによって規定することになる。これにより、システムは柔軟に実施することができる。
【００４９】
さらに、ネットワーク機器が端末機器に対して上記表を設定した上で、ネットワーク機器は後に、専用情報によって、一つ又は幾つかの通信パラメータの設定モードを補正することができる。当該専用情報は、例えば、ＲＲＣシグナリング又はダウンリンク制御シグナリング（Ｄｏｗｎｌｉｎｋ  Ｃｏｎｔｒｏｌ  Ｉｎｆｏｒｍａｔｉｏｎ、略称ＤＣＩ）であってもよい。
【００５０】
本願の実施例において、ネットワーク機器は、各通信パラメータに対応する設定モードを確定する時、各種の通信パラメータによって、オプショナル設定モードから各種の通信パラメータに対応する設定モードを選択してもよい。オプショナル設定モードは、システム情報によって設定される設定モードと、無線リソース制御（ＲＲＣ）シグナリングによって設定される設定モードと、物理層シグナリングによって設定される設定モードと、媒体アクセス制御（Ｍｅｄｉｕｍ  Ａｃｃｅｓｓ  Ｃｏｎｔｒｏｌ、略称ＭＡＣ）層シグナリングによって設定される設定モードと、ＲＲＣシグナリング及び物理層シグナリングの両方で設定される設定モードとから選ばれる少なくとも１種の設定モードを含む。
【００５１】
上記物理層シグナリングは、具体的にＤＣＩであってよい。ネットワーク機器は、ＤＣＩによって通信パラメータを設定する時、明示的な指示方式を採用して通信パラメータを指示してもよく、暗黙的な指示方式を採用して通信パラメータを指示してもよい。例えば、通信パラメータがアップリンク波形であることを例とすると、ＤＣＩフォーマット０は、端末機器のアップリンク波形がシングルキャリア周波数分割多元接続方式（Ｓｉｎｇｌｅ−ｃａｒｒｉｅｒ  Ｆｒｅｑｕｅｎｃｙ−Ｄｉｖｉｓｉｏｎ  Ｍｕｌｔｉｐｌｅ  Ａｃｃｅｓｓ、略称ＳＣ−ＦＤＭＡ）であることを暗黙的に指示し、ＤＣＩフォーマット１は、端末機器のアップリンク波形が直交周波数分割多重方式（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ、略称ＯＦＤＭ）であることを暗黙的に指示することができる。
【００５２】
本願の実施例において、Ｎ種の通信パラメータは、アップリンク波形を含む。なお、将来の通信システム（例えば、５Ｇ通信システム）においてアップリンクには、ＳＣ−ＦＤＭＡ及びＯＦＤＭの２種類の波形がある。当該２種のアップリンク波形の選択は、端末機器の位置するチャネル環境、ネットワーク機器との距離に密接に関係する。そのため、ネットワーク機器は、アップリンク波形に対応する設定モードを確定する時、端末機器の位置するチャネル環境又は端末機器の移動速度の少なくとも１つに基づき、オプショナル設定モードにおいて、アップリンク波形に対応する設定モードを確定する。
【００５３】
詳しくは、いくつかの実施例において、チャネル状態が安定し、且つ移動速度が遅い端末機器に対し、ネットワーク機器は、低速のアップリンク波形設定モードを選択することができ、例えば、ＲＲＣシグナリングによってアップリンク波形を設定すると、端末機器は、ＲＲＣシグナリングによって設定されるアップリンク波形のみを使用する。又は、チャネル状態が安定せず、もしくは移動速度が速い端末機器に対し、ネットワーク機器は、アップリンク波形を動的に設定する必要がある。例えば、ネットワーク機器は、物理層シグナリング（例えば、ＤＣＩ）又はＭＡＣ層シグナリングによってアップリンク波形を設定すると、端末機器は、物理層シグナリング、又はＭＡＣ層シグナリングによって設定されるアップリンク波形のみを使用する。又は、端末機器の位置するチャネル状態が安定せず、端末機器の移動速度が遅い場合に、ネットワーク機器は、ＲＲＣシグナリング及び物理層シグナリング（又はＭＡＣ層シグナリング）の両方で設定される設定モードを採用すると、端末機器は、直近受信した設定で直前の設定を置き換える。例えば、接続を確立した直後、ＲＲＣシグナリングにより端末機器に対して設定したアップリンク波形はＳＣ−ＦＤＭＡであり、端末機器の位置するチャネル環境が変更すると、ネットワーク機器がＤＣＩにより端末機器に対して設定したアップリンク波形はＯＦＤＭになり、そして端末機器は、アップリンク波形をＳＣ−ＦＤＭＡからＯＦＤＭに切り替える。
【００５４】
本願の実施例において、Ｎ種の通信パラメータは、サブキャリア間隔（又は基本パラメータセット）を含み、ネットワーク機器は、端末機器の位置するセルが用いるサブキャリア間隔の種類の数に基づき、オプショナル設定モードにおいて、サブキャリア間隔に対応する設定モードを確定する。
【００５５】
詳しくは、いくつかの実施例において、前記セルが１種のサブキャリア間隔を用いることを確定する場合に、前記ネットワーク機器は、システム情報によって設定される前記設定モードを、サブキャリア間隔に対応する目標設定モードに確定する。又は、前記セルが複数種のサブキャリア間隔を用いることを確定する場合に、前記ネットワーク機器は、前記オプショナル設定モードに含まれる、ＲＲＣシグナリングによって設定される前記設定モードと、物理層シグナリングによって設定される前記設定モードと、ＭＡＣ層シグナリングによって設定される前記設定モードとの設定モードから選ばれる１種の設定モードを、サブキャリア間隔に対応する設定モードに確定する。
【００５６】
さらに、ネットワーク機器は、システム情報（Ｓｙｓｔｅｍ  Ｉｎｆｏｒｍａｔｉｏｎ）により、サブキャリア間隔の設定モードを端末機器に指示してもよい。端末機器は、システム情報に基づき、セルが用いるサブキャリア間隔（基本パラメータセット）を如何に取得するかを知ることができる。
【００５７】
例えば、端末機器は、ネットワーク機器がシステム情報によってサブキャリア間隔を設定することを確定する場合に、端末機器は、システム情報によって設定されるサブキャリア間隔のみを使用する。又は、端末機器は、ネットワーク機器がＲＲＣシグナリングによってサブキャリア間隔を設定することを確定する場合に、端末機器は、ＲＲＣシグナリングによって設定されるサブキャリア間隔のみを使用する。
【００５８】
なお、セルが複数種のサブキャリア間隔を用いる場合に、ネットワーク機器は、ＲＲＣシグナリング及び物理層シグナリング（又はＭＡＣ層シグナリング）の両方で設定される設定モードを採用してもよく、これに対応し、端末機器は、直近受信した設定で直前の設定を置き換える。例えば、接続を確立した直後、ＲＲＣシグナリングにより端末機器に対して設定されたサブキャリア間隔は１５ｋＨｚであり、端末機器の位置するチャネル環境が変更すると、ネットワーク機器がＤＣＩにより端末機器に対して設定したサブキャリア間隔は２０ｋＨｚになり、そして端末機器は、セルのサブキャリア間隔が１５ｋＨｚから２０ｋＨｚに切り替わることを確定する。
【００５９】
本願の実施例において、Ｎ種の通信パラメータは、複信方式を含み、ネットワーク機器は、端末機器の位置するセルが用いる複信方式の種類の数に基づき、オプショナル設定モードにおける複信方式に対応する設定モードを確定するとしてもよい。
【００６０】
詳しくは、いくつかの実施例において、前記セルが１種の複信方式を用いることを確定する場合に、前記ネットワーク機器は、システム情報によって設定される設定モードを、複信方式に対応する設定モードに確定する、又は、前記セルが複数種の複信方式を用いることを確定する場合に、前記ネットワーク機器は、前記オプショナル設定モードに含まれる、ＲＲＣシグナリングによって設定される前記設定モードと、前記物理層シグナリングによって設定される設定モードと、前記ＭＡＣ層シグナリングによって設定される設定モードと、前記ＲＲＣシグナリング及び物理層シグナリングの両方で設定される設定モードとの設定モードから選ばれる１種の設定モードを、複信方式に対応する設定モードに確定する。
【００６１】
さらに、ネットワーク機器は、システム情報又はＲＲＣシグナリングの少なくとも１つによって端末機器に複信方式の設定モードを指示してもよい。端末機器は、システム情報又はＲＲＣシグナリングの少なくとも１つに基づき、セルが用いる複信方式を如何に取得するかを知ることができる。
【００６２】
同様に、セルが複数種の複信方式を用いる場合に、ネットワーク機器は、ＲＲＣシグナリング及び物理層シグナリング（又はＭＡＣ層シグナリング）の両方で設定される設定モードを採用してもよい。これに応じて、端末機器は、直近受信した設定で直前の設定を置き換える。例えば、接続を確立した直後、ＲＲＣシグナリングにより端末機器に対して設定された複信方式は、周波数分割複信（Ｆｒｅｑｕｅｎｃｙ  Ｄｉｖｉｓｉｏｎ  Ｄｕｐｌｅｘｉｎｇ、略称ＦＤＤ）であり、端末機器の位置するチャネル環境が変更すると、ネットワーク機器がＤＣＩにより端末機器に対して設定する複信方式は時分割複信（Ｔｉｍｅ  Ｄｉｖｉｓｉｏｎ  Ｄｕｐｌｅｘｉｎｇ、略称ＴＤＤ）になり、そして端末機器は、セルの複信方式がＦＤＤからＴＤＤに切り替わることを確定する。
【００６３】
上記実施形態において、セルが用いる複信方式は、周波数分割複信（ＦＤＤ）と、時分割複信（ＴＤＤ）と、全複信とから選ばれる少なくとも１種の複信方式を含むとしてもよい。
【００６４】
上記全ての実施例において、ネットワーク機器と端末機器は、具体的な設定モードと設定モードの番号との対応関係を予め取り決めてもよい。これにより、ネットワーク機器が設定モード指示情報によりパラメータの設定モードを指示する時、設定モードの番号のみを指示すれば、端末機器は設定モードの番号と予め取り決めた対応関係によって、具体的な設定モードを確定することができる。
【００６５】
例を挙げて、具体的な設定モードと設定モードの番号との対応関係は、表２に示すとおりであってもよい。表２は、具体的な設定モードと設定モードの番号との対応関係の１種を示すものに過ぎず、対応関係について限定を加えるものではない。
【００６６】
【表２】
2020504948.tif 000012
【００６７】
なお、上記実施例では、通信パラメータがアップリンク波形、サブキャリア間隔及び複信方式を含む場合を例として説明しているが、本願の実施例は、上記複数種の通信パラメータに限定されるものではない。その他の通信パラメータについても、本願の実施例による通信パラメータの設定方法に基づいて設定することができる。
【００６８】
上記内容は、図１を参照して、ネットワーク機器側に基づき、本願の実施例による通信パラメータの設定方法を詳しく説明した。次に、図２を参照して、端末機器側に基づき、本願の実施例による通信パラメータの設定方法を詳しく説明する。端末機器側について説明する端末機器とネットワーク機器とのインタラクションは、ネットワーク機器側に基づく説明と同じであり、説明の重複を避けるために、関連する内容を適当に省略する。
【００６９】
図２は、本願の別の実施例による通信パラメータの設定方法を示す。図２に示すように、方法２００は、端末機器が、ネットワーク機器が送信したＮ種（Ｎは１以上の正の整数）の通信パラメータの各種の通信パラメータに対応する設定モードを指示するための設定モード指示情報を受信するステップＳ２１０と、
端末機器が、前記設定モードの指示情報に基づき、前記各種の通信パラメータに対応する設定モードを確定するステップＳ２２０と、
端末機器が、前記各種の通信パラメータに対応する設定モードに基づき、前記各種の通信パラメータを取得するステップＳ２３０とを含む。
【００７０】
本願に係る通信パラメータの設定方法によれば、端末機器は、ネットワーク機器が送信した通信パラメータの設定モードを指示するための指示情報を受信し、受信した指示情報に基づき通信パラメータを取得する。これにより、ネットワーク機器は、通信パラメータに対応する設定モードを動的に確定して、将来の無線ネットワークの需要にも満たせるように、通信パラメータを柔軟に設定することができる。
【００７１】
本願の実施形態において、前記各種の通信パラメータに対応する設定モードは、前記ネットワーク機器に、前記各種の通信パラメータ及びオプショナル設定モードに基づいて確定されるものであり、前記オプショナル設定モードは、システム情報によって設定される設定モードと、無線リソース制御（ＲＲＣ）シグナリングによって設定される設定モードと、物理層シグナリングによって設定される設定モードと、媒体アクセス制御（ＭＡＣ）層情報によって設定される設定モードと、ＲＲＣシグナリング及び物理層シグナリングの両方で設定される設定モードとから選ばれる少なくとも１種の設定モードを含むこととしてもよい。
【００７２】
本願の実施例において、前記Ｎ種の通信パラメータは、アップリンク波形方式を含むこととしてもよい。
【００７３】
本願の実施例において、前記オプショナル設定モードにおけるアップリンク波形方式に対応する設定モードは、前記ネットワーク機器に、前記端末機器の位置するチャネル環境又は前記端末機器の移動速度の少なくとも１つによる確定されるものとしてもよい。
【００７４】
本願の実施例において、ステップＳ２１０は具体的に、前記端末機器が、前記ネットワーク機器が送信した前記設定モード指示情報が含まれるＲＲＣシグナリングを受信することとしてもよい。
【００７５】
本願の実施例において、前記Ｎ種の通信パラメータは、サブキャリア間隔を含み、前記オプショナル設定モードにおけるサブキャリア間隔に対応する設定モードは、前記ネットワーク機器に、前記端末機器の位置するセルが用いるサブキャリア間隔の種類の数に基づいて確定されるものとしてもよい。
【００７６】
本願の実施例において、前記セルが１種のサブキャリア間隔を用いる場合に、サブキャリア間隔に対応する設定モードは、システム情報によって設定される設定モードである、又は、
前記セルが複数種のサブキャリア間隔を用いる場合に、サブキャリア間隔に対応する設定モードは、前記オプショナル設定に含まれる、ＲＲＣシグナリングによって設定される前記設定モードと、物理層シグナリングによって設定される前記設定モードと、ＭＡＣ層シグナリングによって設定される前記設定モードとの設定モードから選ばれる１種の設定モードを含むこととしてもよい。
【００７７】
本願の実施例において、ステップＳ２１０は具体的に、前記端末機器が、前記ネットワーク機器が送信した前記設定モード指示情報が含まれるシステム情報を受信することとしてもよい。
【００７８】
本願の実施例において、前記Ｎ種の通信パラメータは、複信方式を含み、前記オプショナル設定モードにおける複信方式に対応する設定モードは、前記ネットワーク機器に、前記端末機器の位置するセルが用いる複信方式の種類の数に基づいて確定されるものとしてもよい。
【００７９】
本願の実施例において、前記セルが１種の複信方式を用いる場合に、複信方式に対応する設定モードは、システム情報によって設定される設定モードである、又は、
前記セルが複数種の複信方式を用いる場合に、複信方式に対応する設定モードは、前記オプショナル設定モードに含まれる、ＲＲＣシグナリングによって設定される前記設定モードと、物理層シグナリングによって設定される前記設定モードと、ＭＡＣ層シグナリングによって設定される前記設定モードと、ＲＲＣシグナリング及び物理層シグナリングの両方で設定される設定モードとの設定モードから選ばれる１種の設定モードである。
【００８０】
本願の実施例において、前記セルが用いる複信方式は、周波数分割複信（ＦＤＤ）と、時分割複信（ＴＤＤ）と、全複信とから選ばれる少なくとも１種の複信方式を含むこととしてもよい。
【００８１】
本願の実施例において、ステップＳ２１０は具体的に、前記端末機器が、前記ネットワーク機器が送信した前記モード設定モード指示情報が含まれるＲＲＣシグナリングを受信することを含む、又は、前記端末機器が、前記ネットワーク機器が送信した前記設定モード指示情報が含まれるシステム情報を受信することである。
【００８２】
上記内容は、図１及び図２を参照して、本願の実施例に係る通信パラメータの設定方法を詳しく説明した。次に、図３を参照して、本願の実施例に係るネットワーク機器を詳しく説明する。図３に示すように、ネットワーク機器１０は、
Ｎ種（Ｎは１以上の正の整数）の通信パラメータの各種の通信パラメータに対応する設定モードを確定するための処理モジュール１１と、
前記各種の通信パラメータに対応する設定モードを指示するための設定モード指示情報を端末機器に送信するための送受信モジュール１２とを含む。
【００８３】
本願の実施例に係るネットワーク機器は、通信パラメータに対応する設定モードを確定した上で、通信パラメータの設定モードを端末機器に指示する。これにより、ネットワーク機器は、通信パラメータに対応する設定モードを動的に確定して、将来の無線ネットワークの需要にも満たせるように、通信パラメータを柔軟に設定することができる。
【００８４】
本願の実施例において、前記処理モジュール１１は具体的に、前記各種の通信パラメータ及びオプショナル設定モードに基づき、前記各種の通信パラメータに対応する設定モードを確定し、前記オプショナル設定モードは、システム情報によって設定される設定モードと、無線リソース制御（ＲＲＣ）シグナリングによって設定される設定モードと、物理層シグナリングによって設定される設定モードと、媒体アクセス制御（ＭＡＣ）層シグナリングによって設定される設定モードと、ＲＲＣシグナリング及び物理層シグナリングの両方で設定される設定モードとから選ばれる少なくとも１種の設定モードを含むこととしてもよい。
【００８５】
本願の実施例において、前記Ｎ種の通信パラメータは、アップリンク波形方式を含むこととしてもよい。
【００８６】
本願の実施例において、前記処理モジュール１１は具体的に、前記端末機器の位置するチャネル環境又は前記端末機器の移動速度の少なくとも１つに基づき、前記オプショナル設定モードにおけるアップリンク波形方式に対応する設定モードを確定するのに用いられることとしてもよい。
【００８７】
本願の実施例において、前記送受信モジュール１２は具体的に、前記設定モード指示情報が含まれるＲＲＣシグナリングを前記端末機器に送信することとしてもよい。
【００８８】
本願の実施例において、前記Ｎ種の通信パラメータは、サブキャリア間隔を含み、
前記処理モジュール１１は具体的に、前記端末機器の位置するセルが用いるサブキャリア間隔の種類の数に基づき、前記オプショナル設定モードにおけるサブキャリア間隔に対応する設定モードを確定するのに用いられることとしてもよい。
【００８９】
本願の実施例において、前記処理モジュール１１は具体的に、前記セルが１種のサブキャリア間隔を用いることを確定する場合に、システム情報によって設定される前記設定モードを、サブキャリア間隔に対応する設定モードに確定する、又は、前記セルが複数種のサブキャリア間隔を用いることを確定する場合に、前記オプショナル設定モードに含まれる、ＲＲＣシグナリングによって設定される前記設定モードと、物理層シグナリングによって設定される前記設定モードと、ＭＡＣ層シグナリングによって設定される前記設定モードとの設定モードから選ばれる１種の設定モードを、サブキャリア間隔に対応する設定モードに確定することとしてもよい。
【００９０】
本願の実施例において、前記送受信モジュール１２は具体的に、前記設定モード指示情報が含まれるシステム情報を前記端末機器に送信するのに用いられることとしてもよい。
【００９１】
本願の実施例において、前記Ｎ種の通信パラメータは、複信方式を含み、
前記処理モジュール１１は具体的に、前記端末機器の位置するセルが用いる複信方式の種類の数に基づき、前記オプショナル設定モードにおける複信方式に対応する設定モードを確定することとしてもよい。
【００９２】
本願の実施例において、前記処理モジュール１１は具体的に、前記セルが１種の複信方式を用いることを確定する場合に、システムによって設定される設定モードを、複信方式に対応する設定モードに確定する、又は、前記セルが複数種の複信方式を用いることを確定する場合に、前記オプショナル設定モードに含まれる、ＲＲＣシグナリングによって設定される前記設定モードと、物理層シグナリングによって設定される前記設定モードと、ＭＡＣ層シグナリングによって設定される前記設定モードと、ＲＲＣシグナリング及び物理層シグナリングの両方で設定される前記設定モードとの設定モードから選ばれる１種の設定モードを、複信方式に対応する設定モードに確定するのに用いられることとしてもよい。
【００９３】
本願の実施例において、前記セルが用いる複信方式は、周波数分割複信（ＦＤＤ）と、時分割複信（ＴＤＤ）と、全複信とから選ばれる少なくとも１種の複信方式を含むこととしてもよい。
【００９４】
本願の実施例において、前記送受信モジュール１２は具体的に、前記設定モード指示情報が含まれるＲＲＣシグナリングを前記端末機器に送信する、又は、前記設定モード指示情報が含まれるシステム情報を前記端末機器に送信することとしてもよい。
【００９５】
本願の実施例に係るネットワーク機器においては、本願の実施形態に係る方法１００の関連するプロセスを参照することができ、且つ、当該ネットワーク機器における各ユニット／モジュール及び上記その他の動作及び／又は機能は、方法１００における対応するプロセスをそれぞれ実施するためのものであるので、説明の便宜上、ここで説明を省略する。
【００９６】
図４は、本願の実施例に係る端末機器を示す。図４に示すように、端末機器２０は、ネットワーク機器が送信したＮ種（Ｎは１以上の正の整数）の通信パラメータの各種の通信パラメータに対応する設定モードを指示するための設定モード指示情報を受信するための送受信モジュール２１と、
前記設定モード指示情報に基づき、前記各種の通信パラメータに対応する設定モードを確定するための処理モジュール２２とを含み、
前記処理モジュール２２はさらに、前記各種の通信パラメータに対応する設定モードに基づき、前記各種の通信パラメータを取得するのに用いられる。
【００９７】
本願の実施例に係る端末機器は、ネットワーク機器が送信した通信パラメータの設定モードを指示するための指示情報を受信し、受信した指示情報に基づき通信パラメータを取得する。これにより、ネットワーク機器は、通信パラメータに対応する設定モードを動的に確定して、将来の無線ネットワークの需要にも満たせるように、通信パラメータを柔軟に設定することができる。
【００９８】
本願の実施例において、前記各種の通信パラメータに対応する設定モードは、前記ネットワーク機器に、前記各種の通信パラメータ及びオプショナル設定モードに基づいて確定されるものであり、前記オプショナル設定モードは、システム情報によって設定される設定モードと、無線リソース制御（ＲＲＣ）シグナリングによって設定される設定モードと、物理層シグナリングによって設定される設定モードと、媒体アクセス制御（ＭＡＣ）層シグナリングによって設定される設定モードと、ＲＲＣシグナリング及び物理層シグナリングの両方で設定される設定モードとから選ばれる少なくとも１種の設定モードを含むこととしてもよい。
【００９９】
本願の実施例において、前記Ｎ種の通信パラメータは、アップリンク波形方式を含むこととしてもよい。
【０１００】
本願の実施例において、前記オプショナル設定モードにおけるアップリンク波形方式に対応する設定モードは、前記ネットワーク機器に、前記端末機器の位置するチャネル環境又は前記端末機器の移動速度の少なくとも１つに基づいて確定されるものとしてもよい。
【０１０１】
本願の実施例において、送受信モジュール２１は具体的に、前記ネットワーク機器が送信した前記設定モード指示情報が含まれるＲＲＣシグナリングを受信することとしてもよい。
【０１０２】
本願の実施例において、前記Ｎ種の通信パラメータは、サブキャリア間隔を含み、前記オプショナル設定モードにおけるサブキャリア間隔に対応する設定モードは、前記ネットワーク機器に、前記端末機器の位置するセルが用いるサブキャリア間隔の種類の数に基づいて確定されるものとしてもよい。
【０１０３】
本願の実施例において、前記セルが１種のサブキャリア間隔を用いる場合に、サブキャリア間隔に対応する設定モードは、システム情報によって設定される設定モードである、又は、前記セルが複数種のサブキャリア間隔を用いる場合に、サブキャリア間隔に対応する設定モードは、前記オプショナル設定モードに含まれる、ＲＲＣシグナリングによって設定される前記設定モードと、物理層シグナリングによって設定される前記設定モードと、ＭＡＣ層シグナリングによって設定される前記設定モードとの設定モードから選ばれる１種の設定モードを含むこととしてもよい。
【０１０４】
本願の実施例において、前記送受信モジュール２１は具体的に、前記ネットワーク機器が送信した前記設定モード指示情報が含まれるシステム情報を受信するのに用いられることとしてもよい。
【０１０５】
本願の実施例において、前記Ｎ種の通信パラメータは、複信方式を含み、前記オプショナル設定モードにおける複信方式に対応する設定モードは、前記ネットワーク機器に、前記端末機器の位置するセルが用いる複信方式の種類の数に基づいて確定されるものとしてもよい。
【０１０６】
本願の実施例において、前記セルが１種の複信方式を用いる場合に、複信方式に対応する設定モードは、システム情報によって設定される設定モードである、又は、前記セルが複数種の複信方式を用いる場合に、複信方式に対応する設定モードは、前記オプショナル設定モードに含まれる、ＲＲＣシグナリングによって設定される前記設定モードと、物理層シグナリングによって設定される前記設定モードと、ＭＡＣ層シグナリングによって設定される前記設定モードと、ＲＲＣシグナリング及び物理層シグナリングの両方で設定される設定モードとの設定モードから選ばれる１種の設定モードであることとしてもよい。
【０１０７】
本願の実施例において、前記セルが用いる複信方式は、周波数分割複信（ＦＤＤ）と、時分割複信（ＴＤＤ）と、全複信とから選ばれる少なくとも１種の複信方式を含むこととしてもよい。
【０１０８】
本願の実施例において、前記送受信モジュール２１は具体的に、前記ネットワーク機器が送信した前記モード設定モード指示情報が含まれるＲＲＣシグナリングを受信する、又は、前記ネットワーク機器が送信した前記設定モード指示情報が含まれるシステム情報を受信するのに用いられることとしてもよい。
【０１０９】
本願の実施例に係る端末機器については、本願の実施形態に係る方法２００の関連するプロセスを参照することができ、且つ、当該端末機器における各ユニット／モジュール及び上記その他の動作及び／又は機能は、方法２００における対応するプロセスをそれぞれ実施するためのものであるので、説明の便宜上、ここで説明を省略する。
【０１１０】
図５は、本願の別の実施例によるネットワーク機器を示す。図５に示すように、ネットワーク機器１００は、プロセッサ１１０と、トランシーバー１２０とを含む。プロセッサ１１０がトランシーバー１２０に接続される。一実施例において、ネットワーク機器１００は、プロセッサ１１０に接続されるメモリ１３０をさらに含む。プロセッサ１１０と、メモリ１３０と、トランシーバー１２０とは、内部の接続バスによって互いに通信することができる。プロセッサ１１０は、Ｎ種（Ｎは１以上の正の整数）の通信パラメータの各種の通信パラメータに対応する設定モードを確定するのに用いられ、トランシーバー１２０は、前記各種の通信パラメータに対応する設定モードを指示するための設定モード指示情報を端末機器に送信する。
【０１１１】
本願の実施例に係るネットワーク機器は、通信パラメータに対応する設定モードを確定した上で、通信パラメータの設定モードを端末機器に指示する。これにより、ネットワーク機器は、通信パラメータに対応する設定モードを動的に確定して、将来の無線ネットワークの需要にも満たせるように、通信パラメータを柔軟に設定することができる。
【０１１２】
本願の実施例に係るネットワーク機器１００については、本発明の実施形態に係るネットワーク機器１０を参照することができ、且つ、当該端末機器における各ユニット／モジュール及び上記その他の動作及び／又は機能は、方法１００における対応するプロセスをそれぞれ実施するためのものであるので、説明の便宜上、ここで説明を省略する。
【０１１３】
図６は、本願の別の実施例による端末機器を概略的に示すブロック図である。図６に示すように、端末機器２００は、プロセッサ２１０と、トランシーバー２２０とを含み、プロセッサ２１０がトランシーバー２２０に接続される。一実施例において、端末機器２００は、プロセッサ２１０に接続されるメモリ２３０をさらに含む。プロセッサ２１０と、メモリ２３０と、トランシーバー２２０とは、内部の接続バスによって互いに通信することができる。プロセッサ２２０は、ネットワーク機器が送信したＮ種（Ｎは１以上の正の整数）の通信パラメータの各種の通信パラメータに対応する設定モードを指示するための設定モード指示情報を受信するのに用いられ、トランシーバー２１０は、前記設定モード指示情報に基づき、前記各種の通信パラメータに対応する設定モードを確定し、前記各種の通信パラメータに対応する設定モードに基づき、前記各種の通信パラメータを取得するのに用いられる。
【０１１４】
本願の実施例に係る端末機器は、ネットワーク機器が送信した通信パラメータの設定モードを指示するための指示情報を受信し、受信した指示情報に基づき通信パラメータを取得する。これにより、ネットワーク機器は、通信パラメータに対応する設定モードを動的に確定して、将来の無線ネットワークの需要にも満たせるように、通信パラメータを柔軟に設定することができる。
【０１１５】
本願の実施例に係る端末機器２００については、本願の実施形態に係る端末機器２０を参照することができ、且つ、当該端末機器における各ユニット／モジュール及び上記その他の動作及び／又は機能は、方法２００における対応するプロセスをそれぞれ実施するためのものであるので、説明の便宜上、ここで説明を省略する。
【０１１６】
本発明の実施形態におけるプロセッサは、信号処理能力を備える集積回路チップであってもよい。当該プロセッサは、汎用プロセッサ、デジタル信号プロセッサ（Ｄｉｇｉｔａｌ  Ｓｉｇｎａｌ  Ｐｒｏｃｅｓｓｏｒ、略称ＤＳＰ）、特定用途向け集積回路（Ａｐｐｌｉｃａｔｉｏｎ  Ｓｐｅｃｉｆｉｃ  Ｉｎｔｅｇｒａｔｅｄ  Ｃｉｒｃｕｉｔ、略称ＡＳＩＣ）、フィールドプログラマブルゲートアレイ（Ｆｉｅｌｄ  Ｐｒｏｇｒａｍｍａｂｌｅ  Ｇａｔｅ  Ａｒｒａｙ、略称ＦＰＧＡ）、又はその他のプログラマブル論理部品、ディスクリートトランジスタもしくはトランジスタ論理部品、ディスクリートハードウェア部品であってもよい。本願の実施例に開示されている各方法、ステップ及び論理ブロック図を実施又は実行することができる。そのうち汎用プロセッサは、マイクロプロセッサ、又は任意の一般的なプロセッサなどであってもよい。
【０１１７】
本願の実施例におけるメモリは、揮発性メモリもしくは不揮発性メモリ、又は揮発性メモリ及び不揮発性メモリの両方を含むものである。そのうち不揮発性メモリは、読み出し専用メモリ（Ｒｅａｄ−Ｏｎｌｙ  Ｍｅｍｏｒｙ、略称ＲＯＭ）、プログラマブル読み出し専用メモリ（Ｐｒｏｇｒａｍｍａｂｌｅ  ＲＯＭ、略称ＰＲＯＭ）、消去可能プログラマブル読み出し専用メモリ（Ｅｒａｓａｂｌｅ  ＰＲＯＭ、略称ＥＰＲＯＭ）、電気的消去可能プログラマブル読み出し専用メモリ（Ｅｌｅｃｔｒｉｃａｌｌｙ  ＥＰＲＯＭ、略称ＥＥＰＲＯＭ）、又はフラッシュメモリであってもよい。そのうち揮発性メモリは、ランダムアクセスメモリ（Ｒａｎｄｏｍ  Ａｃｃｅｓｓ  Ｍｅｍｏｒｙ、略称ＲＡＭ）であってもよく、外部キャッシュとして用いられる。限定を加えない例示的なものとして、様々な形態のＲＡＭ、例えばスタティックランダムアクセスメモリ（Ｓｔａｔｉｃ  ＲＡＭ、略称ＳＲＡＭ）、ダイナミックランダムアクセスメモリ（Ｄｙｎａｍｉｃ  ＲＡＭ、略称ＤＲＡＭ）、同期ダイナミックランダムアクセスメモリ（Ｓｙｎｃｈｒｏｎｏｕｓ  ＤＲＡＭ、略称ＳＤＲＡＭ）、ダブルデータレート同期ダイナミックランダムアクセスメモリ（Ｄｏｕｂｌｅ  Ｄａｔａ  Ｒａｔｅ  ＳＤＲＡＭ、略称ＤＤＲ  ＳＤＲＡＭ）、拡張型同期ダイナミックランダムアクセスメモリ（Ｅｎｈａｎｃｅｄ  ＳＤＲＡＭ、略称ＥＳＤＲＡＭ）、同期リンクダイナミックランダムアクセスメモリ（Ｓｙｎｃｈｌｉｎｋ  ＤＲＡＭ、略称ＳＬＤＲＡＭ）及びダイレクトラムバスランダムアクセスメモリ（Ｄｉｒｅｃｔ  Ｒａｍｂｕｓ  ＲＡＭ、略称ＤＲ  ＲＡＭ）を用いることができる。なお、本明細書に記載されているシステム及び方法に係るメモリは、上記メモリ及びその他の適切なあらゆるタイプのメモリを含み、これらに限定されない。
【０１１８】
当業者にとって自明なように、本明細書に開示されている各実施形態に記載の例示的なユニット、アルゴリズム及びステップは、電子ハードウェア、又は電子ハードウェアとコンピュータソフトウェアの組み合わせにより実施することができる。該当機能はハードウェアで実行するか、それともソフトウェアで実行するかは、該当発明の特定の用途及び設計上の制限条件に依存する。当業者であれば、特定の用途ごとに異なる方法を用いて当該機能を実施することができ、このような実施は本発明の範囲を逸脱するものではない。
【０１１９】
当業者にとって自明なように、上記のように説明されているシステム、装置及びユニットの具体的な動作プロセスは、上記方法に関する実施形態の対応するプロセスを参照することができるため、説明の便宜上、詳細な説明を省略する。
【０１２０】
本願のいくつかの実施例に披露されているシステム、装置及び方法は、その他の形態によっても実施できる。上記のように説明されている装置に関する実施形態は、例示的なものに過ぎない。上記に記載のとおり各ユニットを設定しているのは、論理上の機能区分に過ぎず、実施する際に別の形態で区分することもでき、例えば、複数のユニット又は部品を別のシステムに組み合わせるかもしくは集積させたり、又は一部の特徴を反映させず、実行しなかったりしてもよい。また、上記のように説明されている直接的な接続又は通信接続などの部品間の接続形態は、いくつかのインタフェース、装置又はユニットを用いた間接的接続又は通信接続であってもよく、電気的形態、機械的形態又は他の形態であってもよい。
【０１２１】
分離部品として説明されている上記各ユニットは、物理的に分離されるものでも、そうでないものであってもよい。ユニットとして表示される各部品は、物理的なユニットであってもそうでなくてもよい。すなわち、同一の場所に設けられるものであってもよく、複数のネットワークユニットに配置されるものであってもよい。必要に応じて、そのうち一部のユニットのみを用いるか、又は全てのユニットを用いて当該実施形態に係る目的を達成することができる。
【０１２２】
本願の各実施例において、各機能ユニットが１つの処理ユニットに集積されてもよく、各ユニットが単独で物理的な部品として存在する、又は２つ以上のユニットが１つのユニットに集積されてもよい。
【０１２３】
本明細書に記載されている各機能は、ソフトウェアの機能ユニットの形態で実施され、且つ独立する製品として販売又は使用する場合に、コンピュータ読み取り可能記憶媒体に記憶することができる。これにより、本発明の趣旨、すなわち従来技術に対して貢献する発明又は当該発明の一部は、ソフトウェア製品の形態で実施することができる。当該コンピュータソフトウェア製品は、記憶媒体に記憶されており、コンピュータデバイス（パソコン、サーバ、又はネットワーク機器など）が本発明の各実施形態に記載の方法の全てのステップ又はその一部を実行するためのいくつかのコマンドを含む。上記記憶媒体は、ＵＳＢフラッシュメモリ、モバイルハードディスク、読み出し専用メモリ（Ｒｅａｄ−Ｏｎｌｙ  Ｍｅｍｏｒｙ、略称ＲＯＭ）、ランダムアクセスメモリ（Ｒａｎｄｏｍ  Ａｃｃｅｓｓ  Ｍｅｍｏｒｙ、略称ＲＡＭ）、磁気ディスク又はコンパクトディスクなど、プロクラムコードを記憶可能な各種の媒体を含む。
【０１２４】
本明細書に記載されている内容は、本発明の具体的な実施形態に過ぎず、本発明の保護範囲はこれに限定されない。当業者が本発明に開示されている技術範囲において容易に想到し得る変更や置換などは、いずれも本発明の保護範囲に含まれる。これにより、本発明の保護範囲は、特許請求の範囲の内容に準拠すべきである。
【手続補正２】
【補正対象書類名】特許請求の範囲
【補正対象項目名】全文
【補正方法】変更
【補正の内容】
【特許請求の範囲】
【請求項１】
通信パラメータの設定方法であって、
ネットワーク機器が、Ｎ種（Ｎは１以上の正の整数）の通信パラメータの各種の通信パラメータに対応する設定モードを確定するステップと、
前記ネットワーク機器が、前記各種の通信パラメータに対応する設定モードを指示するための設定モード指示情報を端末機器に送信するステップとを含むことを特徴とする通信パラメータの設定方法。
【請求項２】
前記ネットワーク機器が、Ｎ種の通信パラメータの各種の通信パラメータに対応する設定モードを確定する前記ステップは、
前記ネットワーク機器が、各種の通信パラメータ及びオプショナル設定モードに基づき、前記各種の通信パラメータに対応する設定モードを確定するサブステップを含み、前記オプショナル設定モードは、システム情報によって設定される設定モードと、無線リソース制御（ＲＲＣ）シグナリングによって設定される設定モードと、物理層シグナリングによって設定される設定モードと、媒体アクセス制御（ＭＡＣ）層シグナリングによって設定される設定モードと、ＲＲＣシグナリング及び物理層シグナリングの両方で設定される設定モードとから選ばれる少なくとも１種の設定モードを含むことを特徴とする請求項１に記載の方法。
【請求項３】
前記Ｎ種の通信パラメータは、アップリンク波形方式を含むことを特徴とする請求項２に記載の方法。
【請求項４】
前記ネットワーク機器が、前記各種の通信パラメータ及びオプショナル設定モードに基づき、前記各種の通信パラメータに対応する設定モードを確定する前記ステップは、
前記ネットワーク機器が、前記端末機器の位置するチャネル環境又は前記端末機器の移動速度の少なくとも１つに基づき、前記オプショナル設定モードにおけるアップリンク波形モードに対応する設定モードを確定するサブステップを含むことを特徴とする請求項３に記載の方法。
【請求項５】
前記ネットワーク機器が、端末機器に設定モード指示情報を送信する前記ステップは、
前記ネットワーク機器が、前記設定モード指示情報が含まれるＲＲＣシグナリングを前記端末機器に送信する、
または、前記ネットワーク機器が、前記設定モード指示情報が含まれる物理層シグナリングを前記端末機器に送信するサブステップを含むことを特徴とする請求項３または４に記載の方法。
【請求項６】
ネットワーク機器であって、
Ｎ種（Ｎは１以上の正の整数）の通信パラメータの各種の通信パラメータに対応する設定モードを確定するための処理モジュールと、
前記各種の通信パラメータに対応する設定モードを指示するための設定モード指示情報を端末機器に送信するための送受信モジュールとを含むことを特徴とするネットワーク機器。
【請求項７】
前記処理モジュールは具体的に、
前記各種の通信パラメータ及びオプショナル設定モードに基づき、前記各種の通信パラメータに対応する設定モードを確定するのに用いられ、前記オプショナル設定モードは、システム情報によって設定される設定モードと、無線リソース制御（ＲＲＣ）シグナリングによって設定される設定モードと、物理層シグナリングによって設定される設定モードと、媒体アクセス制御（ＭＡＣ）層シグナリングによって設定される設定モードと、ＲＲＣシグナリング及び物理層シグナリングの両方で設定される設定モードとから選ばれる少なくとも１種の設定モードを含むことを特徴とする請求項６に記載のネットワーク機器。
【請求項８】
前記Ｎ種の通信パラメータは、アップリンク波形方式を含むことを特徴とする請求項７に記載のネットワーク機器。
【請求項９】
前記処理モジュールは具体的に、
前記端末装置の位置するチャネル環境又は端末装置の移動速度の少なくとも１つに基づき、前記オプショナル設定モードにおけるアップリンク波形モードに対応する設定モードを確定するために用いられることを特徴とする請求項８に記載のネットワーク機器。
【請求項１０】
前記送受信モジュールは具体的に、
前記設定モード指示情報が含まれるＲＲＣシグナリングを前記端末装置に送信し、
または、前記設定モード指示情報が含まれる物理層シグナリングを前記端末装置に送信するために用いられることを特徴とする請求項８又は９に記載のネットワーク機器。
【請求項１１】
端末機器であって、
ネットワーク機器が送信したＮ種（Ｎは１以上の正の整数）の通信パラメータの各種の通信パラメータに対応する設定モードを指示するための設定モード指示情報を受信するための送受信モジュールと、
前記設定モード指示情報に基づき、前記各種の通信パラメータに対応する設定モードを確定するための処理モジュールとを含み、
前記処理モジュールはさらに、前記各種の通信パラメータに対応する設定モードに基づき、前記各種の通信パラメータを取得するために用いられることを特徴とする端末機器。
【請求項１２】
前記各種の通信パラメータに対応する設定モードは、前記ネットワーク機器により、前記各種の通信パラメータ及びオプショナル設定モードに基づいて確定されるものであり、前記オプショナル設定モードは、システム情報によって設定される設定モードと、無線リソース制御（ＲＲＣ）シグナリングによって設定される設定モードと、物理層シグナリングによって設定される設定モードと、媒体アクセス制御（ＭＡＣ）層シグナリングによって設定される設定モードと、ＲＲＣシグナリング及び物理層シグナリングの両方で設定される設定モードとから選ばれる少なくとも１種の設定モードを含むことを特徴とする請求項１１に記載の端末機器。
【請求項１３】
前記Ｎ種の通信パラメータは、アップリンク波形方式を含むことを特徴とする請求項１２に記載の端末機器。
【請求項１４】
前記オプショナル設定モードにおけるアップリンク波形方式に対応する設定モードは、前記ネットワーク機器により、前記端末機器の位置するチャネル環境又は端末機器の移動速度の少なくとも１つに基づいて確定されるものであることを特徴とする請求項１３に記載の端末機器。
【請求項１５】
前記送受信モジュールは具体的に、
前記ネットワーク機器が送信した前記設定モード指示情報が含まれるＲＲＣシグナリングを受信し、
または、前記ネットワーク機器が送信した前記設定モード指示情報が含まれる物理層シグナリングを受信するために用いられることを特徴とする請求項１３又は１４に記載の端末機器。
【国際調査報告】
2020504948.tif 000013
2020504948.tif 000014
2020504948.tif 000015
2020504948.tif 000016